(57)【要約】      （修正有）【課題】光リングネットワークに接続されたノードの加入者は、ノードを介して、加入者同士で通信を行う事は少なく、インターネットのコンテンツを提供するサーバーにアクセスし、情報、通信を行っている。  従って、光リングネットワーク利用現状に即した、ネットワークトポロジーを構成する必要がある。【解決手段】光リングと、光リングに結合され、宛先情報をトラフィックに関連付けを行い、光リングにトラフィックを加える手段と、光リングからのトラフィックを落とす手段とを有する複数のローカル・ノードと、  複数のローカル・ノードより送信されたトラフィックを受け取り、トラフィックに関連付けられている宛先情報に基づいて分類し、分類した結果に基づいてトラフィックに宛先情報を関連付けを行い、複数のローカル・ノードに該光リングを介して送信するセンター・ノードとで光ネットワークを構成する。【選択図】図２
2006174482.tif 000002
【特許請求の範囲】
【請求項１】
光リングと、
該光リングに結合され、宛先情報をトラフィックに関連付けを行い、該光リングに該トラフィックを加える手段と、該光リングからのトラフィックを落とす手段とを有する複数のローカル・ノードと、
該複数のローカル・ノードより送信された該トラフィックを受け取り、該トラフィックに関連付けられている宛先情報に基づいて分類し、該分類した結果に基づいてトラフィックに宛先情報を関連付けを行い、該複数のローカル・ノードに該光リングを介して送信するセンター・ノードと
を有することを特徴とする光ネットワーク。
【請求項２】
複数のノードから宛先情報が関連付けされたトラフィックを光リングネットワークを介して受信するレシーバーと、
該レシーバーで受信したトラフィックに関連付けられている宛先情報に基づいて該レシーバーで受信したトラフィックを分類し、該分類した結果に基づいてトラフィックに宛先情報を関連付けするプロセッサと、
該光リングネットワークを介して、該プロセッサで宛先情報を関連付けたトラフィックを該複数のノードに送信するトランスミッターと
を有することを特徴とする光通信装置。
【請求項３】
請求項２の光通信装置において、
該トランスミッターから送信される光の波長は該レシーバで受信した該トラフィックの波長と異なる波長の光であることを特徴とする光通信装置。
【請求項４】
請求項２の光通信装置において、
該プロセッサで該ノードからのサービスを求める要求に対応した応答を該トランスミッターから送信するトラフィックに付加することを特徴とする光通信装置。
【請求項５】
請求項２の光通信装置において、
該トランスミッターから第１の波長の光で送信するトラフィックが所定のビットレートを超えた時、該第１の波長の光と該第１の波長の光と異なる第２の波長の光でトラフィックを送信することを特徴とする光通信装置。
【発明の詳細な説明】
【技術分野】
【０００１】
本発明は、光ネットワークに関し、特に光ネットワークにおけるデータセントリックアーキテクチャのための方法及びシステムに関する。
【背景技術】
【０００２】
遠隔通信システム、ケーブルテレビジョン・システム、及びデータ通信ネットワークは、遠隔ポイント間で大量の情報を迅速に伝達するために光ネットワークを使用する。
【０００３】
光ネットワークにおいては、情報は光ファイバーを通して光信号の形で伝達される。
【０００４】
光ファイバーは、光信号を長距離にわたって非常に低い信号強度ロスで伝送することのできる細いガラス繊維で構成される。
【０００５】
近年、ますます、光ネットワークは従来の非光学システムにとって代わりるとともに、それらと基本的に統合されてきている。
【特許文献１】特開２００４−２１４８９１号公報
【特許文献２】特表２００５−５２２０９０号公報
【発明の開示】
【発明が解決しようとする課題】
【０００６】
それにも関わらず、非光学システムにより提供される多くの機能性或いは非光学システムにより支援される技術は、光ネットワークに移し返ることは難く、なおかつ、光アーキテクチャを用いて実現されるときには独特の問題を生じさせる。
【０００７】
その結果、光ネットワークが有する有利な伝送プロセスは、光ネットワークは光ネットワーク上で簡単かつ効果的に再現することができない従来システムのプロトコル及び機能に限定して利用されるといえる。
【０００８】
特に、光リングネットワークにおいて、加入者をノードに収容する、メトロアクセスネットワークを構成した場合、光リングネットワーク上の加入者を収容したノード間を介して、加入者同士が通信を行っている量は全体の１０乃至２０％である。
【０００９】
残りは、加入者を収容したノードと外部のネットワークに接続されたノードの間で通信が行われている。その理由は、ノードに接続された加入者は加入者同士で通信を行う事は少なく、インターネットのコンテンツを提供するサーバーにアクセスし、情報、通信を行っているためである。
【００１０】
従って、光リングネットワーク利用現状に即した、ネットワークトポロジーを構成する必要がある。
【課題を解決するための手段】
【００１１】
本発明の課題を解決するための第１の手段として、光ネットワークは、  光リングと、
該光リングに結合され、宛先情報をトラフィックに関連付けを行い、該光リングに該トラフィックを加える手段と、該光リングからのトラフィックを落とす手段とを有する複数のローカル・ノードと、
該複数のローカル・ノードより送信された該トラフィックを受け取り、該トラフィックに関連付けられている宛先情報に基づいて分類し、該分類した結果に基づいてトラフィックに宛先情報を関連付けを行い、該複数のローカル・ノードに該光リングを介して送信するセンター・ノードとを有する。
【００１２】
本発明の課題を解決するための第２の手段として、光通信装置は、
複数のノードから宛先情報が関連付けされたトラフィックを光リングネットワークを介して受信するレシーバーと、
該レシーバーで受信したトラフィックに関連付けられている宛先情報に基づいて該レシーバーで受信したトラフィックを分類し、該分類した結果に基づいてトラフィックに宛先情報を関連付けするプロセッサと、
該光リングネットワークを介して、該プロセッサで宛先情報を関連付けたトラフィックを該複数のノードに送信するトランスミッターと
を有する。
【００１３】
本発明の課題を解決するための第３の手段として、上記第２の手段において、
該トランスミッターから送信される光の波長は該レシーバで受信した該トラフィックの波長と異なる波長の光にする。
【００１４】
本発明の課題を解決するための第４の手段として、上記第２の手段において、
該プロセッサで該ノードからのサービスを求める要求に対応した応答を該トランスミッターから送信するトラフィックに付加する。
【００１５】
本発明の課題を解決するための第５の手段として、上記第２の手段において、
該トランスミッターから第１の波長の光で送信するトラフィックが所定のビットレートを超えた時、該第１の波長の光と該第１の波長の光と異なる第２の波長の光でトラフィックを送信する。
【発明の効果】
【００１６】
加入者をノードに収容するメトロアクセスネットワークを構成した場合において、外部のネットワークに接続されたノードで加入者を収容したノードからの宛先情報が関連付けされたトラフィックを分類し、新たな宛先情報をトラフィックに付け、まとめて、加入者を収容する複数のノードにトラフィックの送信を行うことで、光リングネットワーク通信の効率的な運用を行うことが可能となる。
【発明を実施するための最良の形態】
【００１７】
光ネットワークにおけるデータセントリックアーキテクチャのための方法及びシステムが提供される。１つの実施形態として、光ネットワークは、光リングと、複数のローカル・ノードと、データセンター・ノードとを包含する。
【００１８】
その複数のローカル・ノードは該光リングに結合され、各ローカル・ノードは、ローカル・クライアントからトラフィックを受信し、トランスミッター・タグをそのトラフィックに添付することができる。
【００１９】
該トランスミッター・タグは、該ローカル・クライアントの仮想ネットワークを識別するものである。
【００２０】
ローカル・ノードは更に該光リングに該トラフィックを送信することができる。
【００２１】
データセンター・ノードも、光リングに結合され、そしてローカル・ノードのうちの１つにより送信されたトラフィックを受け取って、該トラフィックに添付されているトランスミッター・タグと該トラフィックを送信したローカル・ノードとに基づいて該トラフィックについてのレシーバー・タグを決めることができる。
【００２２】
データセンター・ノードも、トラフィックに選択したレシーバー・タグを付加し、タグを光リング上に伝送することができる。
【００２３】
本発明の或る実施形態の技術的利点は、光ネットワークにおけるデータ記憶の集中か及び光ネットワークの処理、簡単化されたアドレス指定及びネットワーク効率を低下させる特定ネットワーク状態の除去を含む。
【００２４】
他の利点は、在来の非光ネットワークにより利用されている１つ以上のアドレス指定プロトコルを支援するスケーラブルで柔軟なシステムを提供することを含む。
【００２５】
さらに、複数の実施形態にかかわるもう一つの技術的利点として、クライアント装置がネットワークに付け加えられたり取り除かれたりしたときに動的に再構成する能力を含むであろう。
【００２６】
本発明の種々の実施形態が列挙された技術的利点の一部或いは全部を含み、或いはそのいずれをも含まない可能性があることが理解されるであろう。
【００２７】
また、本発明の他の技術的利点は、これに含まれている図、解説、及び請求項から、当業者にとっては明白であろう。
【００２８】
図１は、本発明の一実施形態に従う光リング・ネットワーク１０を示す。
【００２９】
ネットワーク１０は、データセンター・ノード１２と、光リング２０に結合された複数のローカル・ノード１４とを含む。
【００３０】
動作中、光通信装置であるデータセンター・ノード１２は、光通信装置であるローカル・ノード１４へのデータの転送を行うために、光リング２０に沿って伝播する光信号を複数の適切な波長間でスイッチングすることによってローカル・ノード１４及び／又はその他の構成要素の間でのデータの通信を容易にする。
【００３１】
データのアドレス指定及びルーティングを簡単化するために、ネットワーク１０は、仮想ローカルエリアネットワーク（ＶＬＡＮ）などの仮想ネットワークの作成及び使用を支援することができる。
【００３２】
ネットワーク１０は、意図された宛先ノードだけではなくて仮想ネットワーク内の全てのローカル・ノード１４に放送される光信号を用いてデータを伝えることができるので、ＶＬＡＮアドレス指定を用いると、ネットワーク１０で送信されたトラフィックが発信源ローカル・ノード１４に戻されることになり、「反射」として知られている望ましくない結果を生じさせる可能性がある。
【００３３】
その結果、トラフィックが光リング２０上の特定のローカル・ノード１４に戻るときにその特定のローカル・ノード１４がそのトラフィックを発信源クライアント装置に配達しようと試みないことを保証するために、ネットワーク１０は、以下でより詳しく説明されるＶＬＡＮマッピング方式を利用することができる。
【００３４】
図１はネットワーク１０の特定の実施形態及び構成を示しているけれども、本発明に従って他の適切なタイプの光ネットワークを使用することができる。
【００３５】
ネットワーク１０は、適宜、単一の単方向ファイバー；単一の双方向ファイバー、或いは複数の単方向又は双方向ファイバー伝送路を利用することができる。
【００３６】
図示されている実施形態では、ネットワーク１０は、数個の光チャネルが別々の波長で１つの共通経路で伝えられる光ネットワークである。
【００３７】
更に、ネットワーク１０は、波長分割多重（ＷＤＭ）ネットワーク、高密度波長分割多重（ｄｅｎｓｅ  ｗａｖｅｌｅｎｇｔｈ  ｄｉｖｉｓｉｏｎ  ｍｕｌｔｉｐｌｅｘｅｄ（ＤＷＤＭ））ネットワーク、或いは他の任意の適切なマルチチャネル・ネットワークであって良い。
【００３８】
ネットワーク１０は、短距離都市型ネットワーク、長距離都市間ネットワーク、或いは他の任意の適切なネットワーク或いは複数のネットワークの組み合わせの全体又は一部分であり得る。
【００３９】
図示したネットワーク１０の実施形態は、データセンター・ノード１２と、光リング２０に結合された複数のローカル・ノード１４とを有している。
【００４０】
図示されている実施形態では、光リング２０は、トラフィックを反時計回り方向に運ぶ単一の単方向ファイバー伝送路を構成している。
【００４１】
光リング２０は、複数のローカル・ノード１４ａ−１４ｃ及びデータセンター・ノード１２を光学的に接続し、各ローカル・ノード１４はデータセンター・ノード１２を介して他のローカル・ノード１４にトラフィックを送り、且つ他のローカル・ノード１４からトラフィックを受け取ることができる。
【００４２】
更に、データセンター・ノード１２は、外部接続２６を通してネットワーク１０の外の構成要素からトラフィックを受け取る能力を持ち得る。
【００４３】
例えば、外部接続２６は、構造及び動作に関してネットワーク１０と類似するネットワークを含む他の光ネットワークにネットワーク１０を接続することができる。
【００４４】
本書で使用される「トラフィック」は、以下でより詳しく論じられるようにサービスを求める任意の要求を含む、ネットワークに送信し、記憶し或いはソートされる情報を意味する。
【００４５】
その様なトラフィックは、オーディオ、ビデオ、テキスト、実時間、非実時間且つ／又はその他の適切なデータを符号化するために変調される少なくとも１つの特性を有する光信号から構成できる。
【００４６】
変調は、位相変調（ＰＳＫ）、強度変調（ＩＭ）及びその他の適切な方法を基礎とすることができる。更に、このトラフィックにより伝播される情報は、任意の適切な方法で構造化され得る。
【００４７】
以下の記述では光リング２０上でトラフィックを光フレームの形で通信するネットワーク１０の実施形態に焦点が当てられるが、ネットワーク１０は、パケットのようなフレームの形、或いは他の任意の適切な方法で構造化されたトラフィックを通信するように構成され得る。
【００４８】
更に、ネットワーク１０は、ローカル・ノード１４に結合され且つ／又はデータセンター・ノード１２が結合される他のネットワークに結合された装置（クライアント）の論理的グルーピングを各々表す１つ以上のＶＬＡＮ（図示されていない）を支援する。
【００４９】
例えば、１つの特定の実施形態では、１つの会社に関連する全てのコンピュータが、たとえこれらのコンピュータが地理的に分散させられていても、単一のＶＬＡＮの構成要素であり得る。
【００５０】
一般に、ＶＬＡＮは、ネットワーク１０内の任意の適切な装置及び／又は外部接続２６を通してネットワークに結合する装置の任意の適切なグルーピングを表すことができる。
【００５１】
その上なお、以下の記述は、例証の目的のために、ネットワーク１０内のローカル・ノード１４のポートに結合されたクライアント装置のグルーピングをＶＬＡＮが表すネットワーク１０の実施形態に焦点を当たものである。
【００５２】
ローカル・ノード１４は、夫々、複数のクライアント・ポート（図示されていない）を通して各ローカル・ノード１４に結合された複数のクライアント装置の間での通信を容易にするために光リング２０にトラフィックを挿入し分岐するように動作することができる。
【００５３】
本書で使用される「各」は、同一のアイテムの少なくとも１つの部分集合のうちのあらゆるものを意味する。
【００５４】
より具体的には、各ローカル・ノード１４は、ローカル・クライアント１６からトラフィックを受け取り、このトラフィックを光リング２０に挿入する。
【００５５】
同時に、各ローカル・ノード１４は、光リング２０からトラフィックを受け取り、そのローカル・ノード１４のローカル・クライアント１６に宛てられているトラフィックを分岐する。
【００５６】
この説明の目的上、ローカル・ノード１４は、トラフィックのコピーをローカル・ノード１４に結合されている任意の適切な構成要素に送ることによって該トラフィックを”分岐する”ことができる。
【００５７】
その結果として、各ローカル・ノード１４は、トラフィックが光リング２０上で下流側の構成要素へ続くことを許しながら該トラフィックをそのローカル・ノード１４に結合されている構成要素へ送ることによって該トラフィックを光リング２０から分岐することができる。
【００５８】
ローカル・クライアント１６は、光ネットワーク１０での情報の通信又は記憶に適する任意の装置を代表することができる。
【００５９】
ローカル・クライアント１６の例は、ネットワーク化されたパーソナルコンピュータ（ＰＣ）、電話機、ファクシミリ機、ハードディスク装置、及びウェブサーバーを含むことができるが、これらに限定されない。
【００６０】
ローカル・ノード１４は、データセンター・ノード１２及び光リング２０上のローカル・ノード１４によって現在送信されているトラフィックに、加えられるトラフィックを挿入することによって、該トラフィックを光リング２０に挿入することができる。
【００６１】
ローカル・ノード１４は、トラフィックを、ローカル・ノード１４のローカル・クライアント１６へ送信し得るようにすることによって該トラフィックを光リング２０から分岐することができる。
【００６２】
更に、ローカル・ノード１４は、トラフィックを分岐してローカル・クライアント１６へ送信するが更に該トラフィックが光リング２０に沿って循環し続けることを許す能力を持つことができる。
【００６３】
特定の実施形態では、オプティカルカップラー又は他の適切な装置を用いることによりトラフィックは受動的に光リング２０に挿入され、また光リング２０から分岐される。
【００６４】
この文脈においては、「受動的に」は、動力、電気、及び／又は機械動作部品を使用する光スイッチを用いずにチャネルを挿入分岐することを意味する。
【００６５】
対照的に、「能動的」装置は、動力、電気及び／又は機械動作部品を用いて仕事を行う。
【００６６】
更に、以下では、データセンター・ノード２０及びローカル・ノード１４は光トラフィックをリング２０上で光フレームとして送受信すると記載されるが、データセンター・ノード１２及び／又はローカル・ノード１４は、任意の適切な方法で構成された情報を提供する光信号としてトラフィックを送受信することができる。
【００６７】
１つの特定の実施形態に従うローカル・ノード１４のコンテンツ及び動作が図３に関して以下で詳しく論じられる。
【００６８】
図１は特定の数のローカル・ノード１４とデータセンター・ノード１２とを含むネットワーク１０の一実施形態を示しているけれども、ネットワーク１０は、任意の適切な方法で構成された任意の適切な数のローカル・ノード１４及びデータセンター・ノード１２を含むことができる。
【００６９】
一度、トラフィックが光リング２０から分岐されると、ローカル・ノード１４は、その分岐されるトラフィックの宛先ノード及び／又はポートととして付与されたヘッダ或いはタグに基づいてデータを抽出するために、その分岐されたトラフィックの光−電気変換を提供することができる。
【００７０】
特定の実施形態では、各ローカル・ノード１４は、受信波長λＲで送信されたトラフィックを分岐するように動作することができる。
【００７１】
各ローカル・ノード１４は、λＲで送信されたトラフィックを電気的に変換し、そのノード１４に宛てられたトラフィック内のアドレス情報にも基づいてトラフィックの宛先が付与された場所を抽出する。
【００７２】
アドレス指定情報は、ヘッダ、ＶＬＡＮタグ、及び／又は他の任意の適切なアドレス指定情報を含むことができる。
【００７３】
或る実施形態では、各ローカル・ノード１４は、アドレス指定情報に基づいてトラフィック又はその一部分を複数のローカル・クライアントのうちの１つへ転送することのできるスイッチ素子（図１には示されていない）を構成している。
【００７４】
一実施形態では、スイッチ素子はレイヤー２（Ｌ２）スイッチを含む。
【００７５】
更に、以下で詳しく論じられるように、該スイッチ素子は、適宜に、アドレス指定情報の中のＶＬＡＮタグに基づいてトラフィックを転送するべきローカル・ポートを判定するように構成され得る。
【００７６】
各ローカル・ノード１４に、光ネットワーク１０にトラフィックを加えるために、他のローカル・ノード１４に割り当てられたサブバンドと異なるサブバンド又はサブバンドの一部分が割り当てられても良い。
【００７７】
本書で使用されるサブバンドは、ネットワークの複数のチャネルの１つの部分集合を含む該ネットワークの帯域幅の一部分を意味する。
【００７８】
一実施形態では、ネットワークの帯域幅全体が、等しい帯域幅の複数のサブバンドに、或いは選択的に別々の帯域幅の複数のサブバンドに、分割され得る。
【００７９】
一実施形態では、ローカル・ノード１４に割り当てられるサブバンドは、他のローカル・ノード１４に割り当てられる波長とは異なる単一の波長である。
【００８０】
例えば、ローカル・ノード１４Ａに波長λ１が割り当てられて良く、この場合ローカル・ノード１４Ａは波長λ１で送信されたトラフィックを光リング２０に挿入する。
【００８１】
同様に、光リング２０にトラフィックを加えるためにローカル・ノード１４Ｂ及び１４Ｃに波長λ２及びλ３が夫々割り当てられている。更に、送信波長λ１、λ２、及びλ３は受信波長λＲと異なっても良い。
【００８２】
従って、この場合、割り当てられた波長のトラフィックを挿入し、受信波長のトラフィックを分岐したとしても、ネットワーク１０での複数のチャネル間の干渉が大幅に減少させられる。
【００８３】
他の１つの実施形態では、各ローカル・ノード１４に、そのローカル・トラフィックを加えるための２つ以上の波長を含む別々のサブバンドが割り当てられる。
【００８４】
ネットワーク１０におけるチャネル間干渉は、そのサブバンドのトラフィックを加え、受信波長のトラフィックを落とすことによって、大幅に除去される。
【００８５】
以下で論じられるように、付加的な波長を受信するために付加的な構成要素をローカル・ノード１４に導入することができる。
【００８６】
別の１つの実施形態では、少なくとも１つのローカル・ノード１４は、他の１つ以上のノード１４により使用される受信波長とは異なる第２の受信波長のトラフィックを受信するように動作することができる。
【００８７】
データセンター・ノード１２は、ローカル・ノード１４からサービス要求を含む光信号を受信し、そのサービス要求に対する応答を含む光信号を受信波長でローカル・ノード１４に送信する。
【００８８】
光信号は、本書で使用されるときには、ネットワーク１０においてデータ・トラフィックを伝送するチャネルを含む。
【００８９】
データは、オーディオ、ビデオ、テキスト、実時間、非実時間及び／又はその他の適切なデータを含み得るトラフィックの形式である。
【００９０】
一実施形態では、データセンター・ノード１２は、デマルチプレクサー３０、複数のレシーバー３２、データセンター４０、トランスミッター２８、及びマルチプレクサー２２を含む。
【００９１】
デマルチプレクサー３０は、光リング２０で送られるＷＤＭ又は他の多チャネル光信号を複数の基本チャネルに多重分離して、各光信号２４を１つの光レシーバー３２へ送る。
【００９２】
各光レシーバー３２は、符号化されているデータを対応するトラフィックから電気的に再生する。該データはデータセンター４０へ転送される。
【００９３】
データセンター４０は、データを受信し、その宛先のノード１４のデーターベースに基づいて該データを分類し、トラフィックをローカル・ノード１４へ受信波長λＲで受信するためにその分類されたデータをトランスミッター２８へ送る。
【００９４】
本書で使用されるとき、宛先ノードは、リング上の送信されたデータの宛先であるローカル・ノード１４である。
【００９５】
光トランスミッター２８は、受信波長λＲの光信号２５を発生させる。
【００９６】
光信号２５は、オーディオ、ビデオ、テキスト、実時間、非実時間、又はその他の適切なデータを符号化するために変調される少なくとも１つの特性を有する光信号を含む。
【００９７】
特定の実施形態では、データセンター・ノード１２は複数のトランスミッター２８（図示されていない）を有し、データセンター・ノード１２により送信されるべきトラフィックのレベルがスレショルド（例えば、毎秒１０ギガビット（Ｇｂ／ｓ））を超えることに応答して、データセンター・ノード１２はトラフィックを分割して２つ以上の受信波長にて送信する。
【００９８】
例えば、複数の受信波長間のチャネル間隔はＣバンドにおいては１００ギガヘルツ（ＧＨｚ）であって良い。
【００９９】
その様な実施形態では、ローカル・ノード１４の別々の部分集合に別々の受信波長が割り当てられる。
【０１００】
例えば、データセンター・ノード１２は、ローカル・ノード１４Ａ宛のトラフィックを第１受信波長λＲ１で受信し、ローカル・ノード１４Ｂ及び１４Ｃに宛てられたトラフィックを第２受信波長λＲ２で受信することができる。
【０１０１】
或る実施形態では、隣接信号間の混信を避け或いは最小化するようにチャネル間隔を選択することができる。
【０１０２】
もし２つ以上のトランスミッター２８が２つ以上の受信波長で送信するならば、複数の光情報信号２５がマルチプレクサー２２によって単一の光信号に多重化されて光リング２０に沿って送信される。
【０１０３】
図示されている実施形態では、データセンター４０は、インライン・スイッチ３６と、トラフィック・バッファー４２と、コントローラ４４と、サービス・モジュール３８と、メモリー１００とを含む。
【０１０４】
スイッチ３６は、トラフィック・バッファー４２、コントローラ４４、及びサービス・モジュール３８に結合されている。
【０１０５】
図示されてはいないけれども、一実施形態として、データセンター４０は、インターネット（ＩＰ）プロトコルネットワークを通過するトラフィックのために、データセンター１２を介してネットワーク１０に結合されているレイヤー３（Ｌ３）スイッチで構成されている。
【０１０６】
スイッチ３６は、レシーバー３２から受信されたトラフィックをトラフィック・バッファー４２に送り、トラフィック・バッファー４２に記憶されているトラフィックをトランスミッター２８へ転送する。
【０１０７】
スイッチ３６は、イーサネット・スイッチ、ＩＰスイッチ、ファイバー・チャネル（ＦＣ）スイッチ、ルータ、或いはその他の、トラフィックを選択的に向けるための適切な装置などのレイヤー２スイッチで構成することができる。
【０１０８】
トラフィック・バッファー４２は、ネットワーク間トラフィック及びネットワーク内トラフィックを記憶することが可能なメモリーで構成する。
【０１０９】
トラフィック・バッファー４２は、単一のメモリー装置の一部分又は全体、或いは複数のメモリー装置であっても良い。
【０１１０】
簡潔さを目的として、全てのメモリー又は複数のメモリー装置がここでは「メモリー１００」と称される。しかしながら、メモリー１００は１つ以上の物理的に区別可能なメモリー装置に相当することができる。
【０１１１】
メモリー１００は、コンピュータ・ディスク、ハードディスク・メモリー、ランダムアクセスメモリー（ＲＡＭ）、読み出し専用メモリー（ＲＯＭ）、或いは他の任意の適切な記憶媒体に相当する。
【０１１２】
コントローラ４４は、トラフィック・バッファー４２及びサービス・モジュール３８へのアクセスを制御し、メモリー１００に記憶されたロジックにより構成されることができる。
【０１１３】
このロジックは、コンピュータ・ディスク、ハードディスク・メモリー又はその他の適切なコンピュータ可読媒体、ランド用途特化集積回路（ＡＳＩＣ）、フィールド・プログラマブル・ゲート・アレイ（ＦＰＧＡ）、ディジタル信号プロセッサ（ＤＳＰ）、或いはその他の適切な特定目的プロセッサ或いは汎用プロセッサ、伝送媒体、或いはその他の、論理を符号化して利用することのできる適切な媒体で構成されることができる。
【０１１４】
一実施形態では、コントローラ４４はサーバーを含む。
【０１１５】
コントローラ４４は、ネットワーク間トラフィック及びネットワーク内トラフィックの両方の分類を容易にするために電気的スイッチ３６にコマンド信号を送るように動作し得る。
【０１１６】
一実施形態では、トラフィック・バッファー４２は、各ローカル・ノード１４にたいして付与されたバッファー・アドレスを有する。
【０１１７】
この場合、在来の「書き込む」コマンド及び「読み出す」コマンドを用いて、ローカル・ノード１４宛てのトラフィックをそのローカル・ノード１４と関連付けられたバッファー・アドレスに記憶させることができる。
【０１１８】
その結果、スイッチ３６に送られるコマンド信号は、宛先ノードと関連付けられたバッファー・アドレスを含むことができる。該コマンド信号を受信した後、スイッチ３６はデータをトラフィック・バッファー４２内の対応するバッファー・アドレスに送る。
【０１１９】
コントローラ４４内のスケジューラーは、対応するバッファー・アドレスと関連付けられている待ち行列内のデータをスケジューリングする。
【０１２０】
一実施形態では、この待ち行列は先入れ先出し待ち行列である。
【０１２１】
それらは、トラフィックを別様に分類し得ることが理解されるであろう。
【０１２２】
スイッチ３６は、そのバッファー・アドレスに記憶されているトラフィックをトランスミッター２８へ転送する。
【０１２３】
上で論じられたように、トランスミッター２８は、各ローカル・ノード１４が該受信波長を光ネットワーク１０から分岐できるように、受信波長の光信号２５を符号化する。
【０１２４】
サービス・モジュール３８は、ノードからのサービスを求める要求を処理して応答を生じさせるように動作し得るが、そのノードはネットワーク内ノード又はネットワーク間ノード、すなわち夫々ネットワーク１０内のノード又はネットワーク１０の外のノード、であって良い。
【０１２５】
サービスが、データの提供、データの記憶、データの処理、或いはネットワーク・システムにおける他のサービスの提供を含み得ることが理解されるであろう。
【０１２６】
サービス・モジュール３８は、ハードウェア（例えば、マイクロチップ）、ファームウェア及び／又はソフトウェアとして具体化され得る。
【０１２７】
ローカル・ノード１４は、割り当てられた波長で、サービスを求める要求をデータセンター・ノード１２に送り、それはデマルチプレクサー３０により受信されてレシーバー３２により電子的に回復される。
【０１２８】
一度、光信号２４から複合されたならば、該要求はスイッチ３６に送られる。
【０１２９】
スイッチ３６は、該要求をサービス・モジュール３８へ転送する。
【０１３０】
該要求は、サービス・モジュール３８へ直接転送されても良く、或いは、該要求をサービス・モジュール３８へ転送する前にバッファー４２内のサービス・モジュール３８に関連付けられているアドレスへ転送されても良い。
【０１３１】
サービス・モジュール３８は、その要求を処理して応答を生じさせる。
【０１３２】
一実施形態では、ビデオを求める要求に対する応答は視聴覚コンテンツを含むファイルを包含する。  別の１つの実施形態では、データの記憶を求める要求は、データが受信されたという受信通知を含む。  更に別の１つの実施形態では、該応答は、サービス・モジュール３８によって処理されたデータを含む。
【０１３３】
スイッチ３６は、サービス・モジュール３８により作られた応答を受信して、それを、宛先ノードと関連付けられているトラフィック・バッファー４２内のアドレスに送る。スイッチ３６は、該応答を、該バッファー・アドレスに記憶されている他のトラフィックと共に、該バッファー・アドレスと関連付けられていて従って該宛先ノードと関連付けられているトランスミッター２８へ転送する。
【０１３４】
トランスミッター２８は、該応答（また、同じ或いは別のノード１４への他の応答も含む可能性がある）を受信波長λＲの光情報信号２５として符号化する。
【０１３５】
図２は、ローカル・ノード１４がデータセンター・ノード１２へトラフィックを送るときの動作中の図１の光ネットワーク１０の一実施形態を示す。
【０１３６】
図示されているように、データセンター・ノード１２は、夫々ノード１４Ａ、１４Ｂ、及び１４Ｃから、λ１で送信された光トラフィック５４、λ２で送信された光トラフィック５６、及びλ３で送信された光トラフィック５８を受信する。
【０１３７】
データセンター・ノード１２は、トラフィック５４，５６、及び５８を受信し、トラフィックの何らかの特性に基づいて、トラフィックを分類するとともに、光トラフィック５４，５６、及び５８に対する応答する。
【０１３８】
ＶＬＡＮアドレス指定を利用する実施形態では、データセンター・ノード１２は、トラフィックに付加されているＶＬＡＮタグ４８に基づいてトラフィックを分類し、共通のＶＬＡＮロケーションに宛てられているデータを集合させる。
【０１３９】
データセンター・ノード１２は、適切な場合には応答を作り、また、適切な場合には応答を含むデータをＶＬＡＮタグ４８によって分類し、その分類されたデータを、トラフィックとして受信波長λＲで送信するためにトランスミッター２８へ送る。
【０１４０】
トランスミッター２８は波長λＲの応答を含むデータを伴なう光信号５０を符号化し、各ローカル・ノード１４は波長λＲの信号を分岐すように動作することができる。
【０１４１】
干渉を制御するために、受信波長λＲは送信波長λ１、λ２、及びλ３とは異なる。
【０１４２】
図示されている実施形態では、ローカル・ノード１４Ａ、１４Ｂ及び１４Ｃは、各々、光信号５０を分岐し、信号５０Ａと通過信号５０Ｂとに受動的に分割する。
【０１４３】
より具体的には、各ローカル・ノード１４は、そのローカル・ノード１４がクライアント・ポート１６を支援するために、ＶＬＡＮと関連付けられているトラフィックを含むドロップ信号５０Ａを分岐する。
【０１４４】
図５−９及び図１０−１２は、動作のこの部分をより詳しく示している。
【０１４５】
在来の光−電気変換を落とされた信号に対して実行して、該ローカル・ノード１４に宛てられた応答を含むデータを抽出することができる。
【０１４６】
一度、抽出後、スイッチ素子（図示されていない）は、適切な時には、そのデータ又は応答を受信するように意図されているローカル・クライアントがその構成要素となっているところのＶＬＡＮを識別するＶＬＡＮタグ４８を含む関連する適切なアドレス指定情報に基づいてローカル・クライアントへ該データ及び応答を転送することができる。
【０１４７】
図示されてはいないけれども、トラフィックは、メディア・アクセス制御（ＭＡＣ）アドレス又はその他の、関連するＶＬＡＮの構成要素である特定の装置を識別する情報などの、適切な追加のアドレス指定情報４６も含むことができる。
【０１４８】
一例として、ノード１４Ａは、波長λ１で送信される光トラフィック５４を光リング２０に加える。
【０１４９】
光トラフィック５４は、ＶＬＡＮタグ４８により示されているように宛先ＶＬＡＮが夫々ＶＬＡＮ「２」及び「５」であるデータの２つのブロックを含んでいる。
【０１５０】
データセンター・ノード１２は、光トラフィック５４を受信して複合し、各データ・ブロックについてデータとＶＬＡＮタグ４８とを回復する。
【０１５１】
データセンター・ノード１２は、該トラフィックを対応する宛先ＶＬＡＮと関連付けられているバッファー・アドレスに記憶させることによって宛先ＶＬＡＮにより該データを分類する。
【０１５２】
ノード１４Ｂも波長λ２で送られる光トラフィック５６を光リング２０に加える。
【０１５３】
光トラフィック５６は、関連するＶＬＡＮタグ４８により示されているように、宛先ＶＬＡＮ「２」、「７」及び「５」を夫々有するデータの２つのブロックと１つの要求（例えば、ビデオ・オン・デマンド・サービス要求）とを含む。
【０１５４】
データセンター・ノード１２は、光トラフィック５６を受信して復号化し、該データ及び要求と、ＶＬＡＮタグ４８により示されるそのデータ及び要求についての宛先ノードとを回復する。
【０１５５】
上で論じられたように、データセンター・ノード１２は、光トラフィック５６において符号化されていた要求を処理して応答を作る。
【０１５６】
データセンター・ノード１２は、該トラフィックを対応する宛先ＶＬＡＮと関連付けられているバッファー・アドレスに記憶させることによって宛先ＶＬＡＮにより該データを分類する。
【０１５７】
図示されている実施形態では、ノード１４Ｃも波長λ３で送られる光信号５８を光リング２０に挿入する。
【０１５８】
光信号５８は、１ブロックのデータを含み、その宛先はＶＬＡＮタグ４８により示されているようにノード「５」である。
【０１５９】
データセンター・ノード１２は、光信号５８を受信して復号し、宛先ＶＬＡＮタグ４８を含むデータを回復する。
【０１６０】
データセンター・ノード１２は、該トラフィックを対応する宛先ＶＬＡＮと関連付けられているバッファー・アドレスに記憶させることによって宛先ＶＬＡＮにより該データを分類する。
【０１６１】
その記憶されたデータは、コントローラ４４からのコマンド信号に応答してトランスミッター２８へ転送される。
【０１６２】
動作の１つの側面において、図１に示されているコントローラ４４は、バッファー４２を介するネットワーク１０でのトラフィックの記憶及び送信を制御する。
【０１６３】
コントローラ４４は、宛先ノードと関連付けられたバッファー・アドレスを含むコマンド信号をスイッチ３６へ送る。
【０１６４】
該コマンド信号は、バッファー・アドレスが容量に近づいたことに応じて、或いは他の任意の適切な基準に基づいて周期的に送ることができる。
【０１６５】
このコマンドを受信した後、スイッチ３６は、該データをトラフィック・バッファー４２内の対応するバッファー・アドレスへ送るが、それは図３で表されている。
【０１６６】
図４は、図示されている実施形態に従うトラフィック・バッファー４２を図形的に表している。各バッファー・アドレスは宛先ＶＬＡＮと関連付けられている。
【０１６７】
図示されているバッファーは、ＶＬＡＮ「２」に２つのデータ・ブロックが送られることを示しており、その１つはノード１４Ｂから、１つはノード１４Ｃから生じたものである。
【０１６８】
この実施形態では、図示されているバッファーは、ＶＬＡＮ「７」がノード１４Ａから生じた１つのデータ・ブロックとして送られることも示している。
【０１６９】
この実施形態では、図示されているバッファーは、ＶＬＡＮ「５」が２つのデータ・ブロックと１つの応答とが送られることも示しており、その１つのデータ・ブロックは夫々ノード１４Ａ及び１４Ｂの各々から、そして該応答はサービス・モジュール３８からのものである。
【０１７０】
各データ・ブロックは、夫々のデータ・ブロックの宛先ノードを識別するＶＬＡＮタグ４８と関連付けられる。
【０１７１】
一実施形態では、バッファー４２は、関連アドレスが容量に近づいたことに応じるなどしてトラフィックをトランスミッター２８へ自動的に転送する。
【０１７２】
各ブロックが最初のＶＬＡＮタグ４８又は新しいＶＬＡＮタグ４８（以下に記載される）で標識付けされると、該データ及びＶＬＡＮタグ４８は受信波長λＲで送信される。
【０１７３】
上記のように、ノード１４Ａ、１４Ｂ及び１４Ｃは、受信波長λＲのトラフィックを受信するように構成されている。
【０１７４】
更に、データセンター・ノード１２は、ＶＬＡＮタグ４８に加えて、該データ・ブロックの１つ以上のために他のアドレス指定情報４６を生成することができる。
【０１７５】
図４は、アド／ドロップするノード１４の一実施形態を示す。
【０１７６】
図示されているノード１４において、トラフィックは、ファイバー２０及び２１から受動的に落とされる。
【０１７７】
図１には示されていないけれども、ファイバー２１をネットワーク１０に加えれば、保護スイッチングを提供することができる。
【０１７８】
もしファイバー２１がネットワーク１０に含まれていなければ、図４に示されているアド／ドロップするノード１４の次に述べる実施形態は、ファイバー２１と関連する構成要素を含まないであろう。
【０１７９】
図示されている実施形態は、カップラーと受信部６６とを用いて、ノード１４に割り当てられている波長を抽出し、関連するクライアントへデータ・セグメントを転送する。
【０１８０】
以下に記載されるように、ファイバー２０及び２１にトラフィックを加えるためにノード１４に割り当てられているサブバンドでローカル・トラフィックをファイバー２０及び２１に加えることができる。
【０１８１】
図４を参照すると、ノード１４は、第１の或いは反時計回りトランスポート部６２と、第２の或いは時計回りトランスポート部６４から構成されている。
【０１８２】
図示されている実施形態では、ローカル・ノード１４は、送信部６８と受信部６６から構成されている。
【０１８３】
代替的に、送信部６８と受信部６６とはローカル・ノード１４から分かれていても良い。
【０１８４】
トランスポート部６２及び６４は、ファイバー２０及び２１にトラフィックを挿入し、ファイバー２０及び２１からトラフィックを分岐し、以前に送信されたトラフィックを除去し、且つ／又はローカル・ノード１４のファイバー２０及び２１との他の相互作用を提供する。
【０１８５】
送信部６８は、トランスポート部６２及び６４によりファイバー２０及び２１に加えられるべきローカル加え信号を生成する。
【０１８６】
受信部６６は、トランスポート部６２及び６４によりファイバー２０及び２１から落とされたローカルドロップ信号を受信する。
【０１８７】
特定の実施形態では、トランスポート部、送信部、及び受信部６２，６４，６８、及び６６は、夫々、個別的な１つのカードとして実現されて、ノード１４のカードシェルフのバックプレーンを通して相互に接続され得る。
【０１８８】
或いは、６２，６４，６８、及び６６の各部の機能は複数の別々のカードに分散させられても良い。
【０１８９】
この様にして、ノード１４はモジュラー型でアップグレード可能となり、「ペイ・アズ・ユウ・グロウ（ｐａｙ−ａｓ−ｙｏｕ−ｇｒｏｗ）」アーキテクチャを提供する。
【０１９０】
ノード１４の構成要素は、直接の、間接の或いはその他の適切な接続又は関連によって結合され得る。
【０１９１】
図示されている実施形態では、素子６２，６４，６８、及び６６と該素子内の装置は光ファイバー接続により接続される；しかし、他の実施形態は、部分的に又は別様に平面導波回路及び／又は自由空間光学系で実現され得る。
【０１９２】
一実施形態では、トランスポート部６２及び６４は、各々、増幅器７０と、分岐カップラー７２と、挿入カップラー９６とから構成される。
【０１９３】
増幅器７０は、光信号を増幅する。分岐カップラー７２は光信号を分岐し信号と通過信号とに分割することができ、その両方の信号は実質的に同じである。
【０１９４】
更に、トランスポート部６２及び６４は、各々、送信部６８で生成された割り当てられたサブバンドと該通過信号との両方を結合させるように動作し得る挿入カップラー９６で構成される。
【０１９５】
挿入カップラー９６、或る実施形態では、薄膜タイプ、固定タイプ、可変タイプ、或いはその他の適切なタイプのフィルターに取って代わられて良くて、それは、加えトラフィックと通過トラフィックとを結合させると共に、ノード１４に割り当てられた送信λの信号を終端させるように動作することができる。
【０１９６】
分岐カップラー７２は、各々、光信号を結合し且つ／又は分割するように動作し得る光ファイバー・カップラー又は他の光スプリッターを含んで構成される。
【０１９７】
本書で使用されるとき、光スプリッター又は光カップラーは、２つ以上の光信号に基づいて１つの複合光信号を合成し、且つ／又は１つの光信号を別々の複数の光信号に分割し、或いは該光信号に基づいて受動的に別々の光信号に分割するように動作し得る任意の装置である。
【０１９８】
この別々の信号は、周波数、形、及び／又は内容に関して、類似又は同一であり得る。
【０１９９】
例えば、この別々の信号は、内容に関して同一で強度に関して同一又は顕著に類似し得、或いは内容に関して同一で強度に関して顕著に異なり得、或いは内容に関して僅かに或いは別様に異なり得る。
【０２００】
一実施形態では、各落としカップラー７２は、信号を、大幅に異なる強度を有する２つのコピーに分割する。
【０２０１】
増幅器７０は、エルビウム添加ファイバー増幅器（ＥＤＦＡ）或いは光信号を受信して増幅することのできる他の適切な増幅器であり得る。
【０２０２】
時計回りリング２１及び反時計回りリング２０の光強度変動を減少させるために、増幅器７０は広い入力ダイナミックレンジを有する自動レベル調整（ＡＬＣ）機能を使用することができる。
【０２０３】
従って、増幅器７０は、入力強度変動に対して利得フラットネスを実現するために自動利得制御（ＡＧＣ）を配備することができ、また、ＡＬＣ機能を実現するために可変光減衰器（ＶＯＡ）を配備することができる。
【０２０４】
ノード１４の動作のとき、各トランスポート部６２及び６４の増幅器７０は、結合されているファイバー２０又は２１から信号を受信し、該信号を増幅する。増幅された信号は分岐カップラー７２へ転送される。
【０２０５】
分岐カップラー７２は、この信号を通過信号と分岐信号とに分割する。
【０２０６】
該分岐信号は、ノード１４に割り当てられた複数の波長の集合の少なくとも部分集合を含む。
【０２０７】
該通過信号は、挿入カップラー９６へ転送される。
【０２０８】
該ローカル分岐信号は分岐カップラー７２から受信部６６へ転送され、これは入力信号をレシーバー８６へ選択的に送る。
【０２０９】
挿入カップラー９６は、該通過信号と、送信部６８により作られた信号とを結合させる。
【０２１０】
図示されている実施形態では、受信部は、２つの１×ｎカップラー７６と、複数の可変同調型（又は固定）フィルター８０と、複数のセレクター８２と、複数の２ｘ１スイッチ８４と、１つ以上のレシーバー８６と、スイッチ素子８８とから構成する。
【０２１１】
該１×ｎカップラー７６は、１つの光ファイバー・リード線と、分岐リード線７８として役立つ複数の光ファイバー・リード線とを含むことができる。
【０２１２】
該分岐リード線７８は、選択された１つの波長を通過させ、他の波長を拒否するように動作し得る複数の可変同調型フィルター８０に接続され得る。図示されている実施形態では、ファイバー２０に関連する分岐リード線７８Ａと、ファイバー２１に関連する分岐リード線７８Ｂは、夫々、可変同調型フィルター８０Ａ及び８０Ｂに結合されている。
【０２１３】
８０Ａ及び８０Ｂからの選択された波長はセレクター８２及びスイッチ８４に送られ、これは、光リング２０からの関連分岐信号又はリング２１からの関連分岐信号とレシーバー８６との選択的接続を許す。
【０２１４】
この様な選択的スイッチングは、光単方向経路切り換えリング（Ｏｐｔｉｃａｌ  Ｕｎｉｄｉｒｅｃｔｉｏｎａｌ  Ｐａｔｈ−Ｓｗｉｔｃｈｅｄ  Ｒｉｎｇ（ＯＵＰＳＲ））保護スイッチングを実行するために使用され得る。
【０２１５】
１つの特定の実施形態では、セレクター８２は、ファイバー２０又は２１からの、より低い方のビット誤り率（ＢＥＲ）を有するトラフィックをローカル・クライアントへ渡すように始めに設定される。
【０２１６】
１つのスレショルド値が、このＢＥＲが該スレショルドを上回らない限り該スイッチがその初期状態に留まるように、確立される。
【０２１７】
強度レベルについて他の１つのスレショルド又は範囲が確立され得る。
【０２１８】
例えば、ＢＥＲが該ＢＥＲスレショルドを上回ったか、或いは強度が好ましい強度範囲より上又は下になったならば、該スイッチは他方の信号を選択する。
【０２１９】
スイッチングのためのコマンドは接続９０を介して送られ得る。
【０２２０】
その結果として、スイッチングが局所的に制御され、簡単でしっかりした保護がもたらされることになる。
【０２２１】
信号が光−電気変換された後、レシーバー８６はデータ・セグメントをスイッチ素子８８に送る。
【０２２２】
以下の記述では、レシーバー８６がデータ・セグメントをスイッチ素子８８へフレーム１０４として転送するようになっているデータセンター・ノード１２の実施形態に焦点が当てられるけれども、レシーバー８６はデータ・セグメントをスイッチ素子８８へ任意の適切な形で転送することができる。
【０２２３】
更に、図４はレシーバー８６を１つだけ示しているけれども、ローカル・ノード１４は、任意の数のレシーバー８６と、フィルター８０、セレクター８２及びスイッチ８４を含む適切な数の全ての関連装置とを含むことができる。
【０２２４】
その結果、ローカル・ノード１４は、１つ以上の受信波長の光信号を受信する能力を持つことができる。
【０２２５】
スイッチ素子８８は、例えばＬ２スイッチ、Ｌ３スイッチ或いは他の任意の適切なスイッチなどの、任意の適切なスイッチで構成することができる。
【０２２６】
フレーム１０４を受信すると、スイッチ素子８８は、アドレス指定情報に基づいてフレーム１０４についての宛先ローカル・クライアントを判定し、宛先ローカル・クライアント１６に結合されているクライアント・ポート１８にフレーム１０４を送る。
【０２２７】
一部の又は全部のフレーム１０４が、宛先クライアントと関連付けられているＶＬＡＮを識別するＶＬＡＮタグ４８を含むアドレス指定情報４６を包含することができる。
【０２２８】
ＶＬＡＮタグ４８は、宛先クライアントと関連付けられているＶＬＡＮを任意の適切な方法で識別することができる。
【０２２９】
ＶＬＡＮタグ４８を含むフレーム１０４について、スイッチ素子８８は、ＶＬＡＮタグ４８に基づいて、或いはＶＬＡＮタグ４８とアドレス指定情報４６の他の構成要素との任意の適切な組み合わせに基づいて、フレーム１０４についての宛先クライアント・ポート１８を判定することができる。
【０２３０】
１つの特定の実施形態では、ＶＬＡＮタグ４８は数値を表し、スイッチ素子８８はメモリー１００の中にマッピング・テーブル６０を包含し、或いは該テーブルへのアクセスを有し、これは、関連するＶＬＡＮの構成要素であるクライアントに結合されたクライアント・ポート１８にＶＬＡＮタグ４８をマッピングする。
【０２３１】
例えば図４では、図示されているローカル・ノード１４は、「１」、「３」及び「８」のＶＬＡＮタグ４８をクライアント・ポート１８ａ、１８ｂ及び１８ｄに夫々マッピングするマッピング・テーブル６０を利用する。
【０２３２】
図４により示唆されているように、特定のローカル・ノード１４は、図示されているマッピング・テーブル６０における「２」のＶＬＡＮタグ４８などの、特定のＶＬＡＮタグ４８と関連するローカル・ノード１４を持っていなくても良い。
【０２３３】
ローカル・ノード１４が関連するクライアント・ポート１８を持っていないＶＬＡＮタグ４８を伴なうフレーム１０４を含むトラフィックをローカル・ノード１４が受け取ると、スイッチ素子８８はそれらのフレーム１０４を適宜捨てることができる。
【０２３４】
そうでなければ、スイッチ素子８８は、フレーム１０４のＶＬＡＮタグ４８と関連付けられているクライアント・ポート１８を識別し、これらのフレーム１０４を識別されたクライアント・ポート１８に送る。
【０２３５】
このプロセスの結果として、ＶＬＡＮタグ４８は、同じＶＬＡＮの構成要素である複数のクライアント間の送信時のネットワーク層スイッチング機能の必要性を減少させることができる。
【０２３６】
スイッチ素子８８は、また、ローカル・クライアント１６からネットワーク１０で送信されるべきフレーム１０４又は他の適切な形のデータ・セグメントをクライアント・ポート１８を通して受け取る。
【０２３７】
フレーム１０４を送信のために転送する前に、スイッチ素子８８は、マッピング・テーブル６０に基づいてＶＬＡＮと関連付けられているクライアント・ポート１８から受信された任意のフレーム１０４にＶＬＡＮタグ４８を添付することができる。
【０２３８】
例えば、図示されている実施形態では、スイッチ素子８８は、クライアント・ポート１８で受信されたフレーム１０４に「３」のＶＬＡＮタグ４８を添付する。
【０２３９】
上記のように、データセンター・ノード１２と他のローカル・ノード１４とは、送信されたフレーム１０４を受信する適切な宛先ローカル・クライアント１６を判定するためにこれらのＶＬＡＮタグ４８を後に使用することができる。
【０２４０】
適切なＶＬＡＮタグ４８を添付した後、スイッチ素子８８はフレーム１０４を送信部６８に送る。
【０２４１】
図示されている実施形態では、送信部６８は、２×ｎカップラー９２と、フレーム１０４をノード１４に割り当てられている１つ以上の波長で送信される複数の光信号に伝える１つ以上の可変型トランスミッター９４とを含む。
【０２４２】
該２×ｎカップラー９２は、挿入リード線として機能する１つ以上の可変型（又は固定波長型）トランスミッター９４に接続され得る複数のリード線を含む。
【０２４３】
可変型トランスミッター９４は、加え信号を選択された波長で送信し、従ってノード１４への柔軟な波長割り当てを提供するように動作することができる。
【０２４４】
カップラー９２は挿入信号を２つの実質的に同様の信号に分割し、一方の信号はファイバー２０に加えられ、他方の信号はファイバー２１に加えられる。
【０２４５】
上記のように、これらの加え信号は、関連するファイバー２０又は２１に加えられるように挿入カップラー９６へ転送される。
【０２４６】
挿入カップラー９６は、割り当てられたサブバンドで送信された信号を拒絶し、通過信号を、送信部６８によって割り当てられたサブバンドで送信された加え信号と結合させる。
【０２４７】
図４は単一のトランスミッター９４を示しているだけであるが、ローカル・ノード１４は、任意の数のトランスミッター９４を、適切な数の、カップラー９２を含む全ての関連する装置と共に、包含することができる。
【０２４８】
その結果として、ローカル・ノード１４は、複数の光信号を１つ以上の送信波長で送信する能力を持つことができる。
【０２４９】
図示されている実施形態では、同じ又は実質的に同じ複数の信号がファイバー２０及び２１の両方で伝送される。
【０２５０】
従って、一組のレシーバー８６を使用してファイバー２０又は２１から信号を受信することができ（スイッチ８４及びセレクター８２の位置により、一方又は他方が受信される）、同じ一組のトランスミッター９４を使用して同じ信号をファイバー２０及び２１の両方に送ることができる。
【０２５１】
この様な構成は、ＯＵＰＳＲ保護を提供するときに適切である。
【０２５２】
しかし、他の実施形態では、ローカル・ノード１４は、ファイバー２０及び２１の各々と関連するレシーバー８６の別の組と、ファイバー２０及び２１の各々と関連するトランスミッター９４の別の組とを含むことができる。
【０２５３】
この場合、スイッチ８４及びセレクター８２は不要である。
【０２５４】
その代わりに、各ファイバー２０又は２１と関連付けられている分岐信号が、各リングと関連付けられているレシーバー８６の組と結合される。
【０２５５】
従って、ファイバー２０及び２１から別々の信号を受信することができる。
【０２５６】
同様に、カップラー９２を用いて一組のトランスミッター９４からの信号を分割してこの信号をファイバー２０及び２１の両方に提供する代わりに、ファイバー２０と関連しているトランスミッター９４の組と、ファイバー２１と関連しているトランスミッター９４の組とにより別の信号が作られても良い。
【０２５７】
従って、各ファイバー２０及び２１で別々の信号が伝達され得る。
【０２５８】
例えば、第１信号をノード１４でファイバー２０に特定のチャネルで加え、全く別の信号を同じノード１４によりファイバー２１に同じチャネルで加えることができる。
【０２５９】
上記のように、アドレス・ネットワーク１０を分解するときにＶＬＡＮタグ付けを用いればデータセンター・ノード１２及びローカル・ノード１４についての時間及び計算の複雑さを減少させることができる。
【０２６０】
トラフィックを配達するための、一定のトラフィックのためのネットワーク層スイッチングの必要性を低下させ或いは無くする技術を提供することによって、ネットワーク１０の特定の実施形態は複数のローカル・ノード１４の間でトラフィックを伝達するための高速で安価なメカニズムを提供することができる。
【０２６１】
それにもかかわらず、アド／ドロップ光ネットワークの一定の特性がＶＬＡＮアドレス指定手法の有効性を限定する可能性がある。
【０２６２】
受信波長λＲで送信された全てのトラフィックはネットワーク１０上の全てのローカル・ノード１４により受信されるので、ＶＬＡＮタグが付されたフレーム１０４をデータセンター・ノード１２へ送信するローカル・ノード１４はそのタグ付けされているフレーム１０４を受信波長λＲで受信する可能性がある。
【０２６３】
そのとき、送信をするローカル・ノード１４は、マッピング・テーブル６０のポート・マッピングに基づいて、フレーム１０４を始めに送信したクライアント・ポート１８に該フレーム１０４を配達しようと誤って試みる可能性がある。
【０２６４】
送信するローカル・クライアント１６はあたかもフレーム１０４がそのローカル・クライアントに宛てられていたかのように該フレーム１０４を誤って処理する可能性があるので、これは「反射」と称される望ましくない状況を生じさせる可能性があり、或いは他の望ましくない結果が生じる可能性がある。
【０２６５】
この問題に対する１つの解決策は、マッピング・テーブルを用いて、送信されたフレーム１０４内のＶＬＡＮタグ４８を再マッピングして、タグ付けされたフレーム１０４の元の送信クライアント・ポート１８への反射を阻止することである。
【０２６６】
後述べる、図５−１２は、その様なマッピング・テーブルを利用してフレーム反射の発生を減少させ或いは無くするネットワーク１０の特定の実施形態の動作を示す。
【０２６７】
図５−９は、本発明の一実施形態に従う光ネットワークの１つの特定の実施形態の動作を示す。
【０２６８】
図示されている実施形態では、ローカル・ノード１４は、始めは特定のＶＬＡＮタグ４８（トランスミッター・タグ１１２）でタグ付けされたトラフィックを送信し、該トランスミッター・タグ１１２はトランスミッター・マッピング・テーブル１１０に基づいて選択される。
【０２６９】
データセンター・ノード１２は、そのタグ付けされたトラフィックを受信し、このトラフィックを、トランスミッションマッピング・テーブル１２０に含まれている情報に基づいて新しいＶＬＡＮタグ４８（レシーバー・タグ１１４）で再タグ付けする。
【０２７０】
ローカル・ノード１４は、その後、データセンター・ノード１２からローカル・ノード１４により受信されたトラフィック上のレシーバー・タグ１１４を、そのタグ付けされたトラフィックについての宛先クライアント・ポート１８を判定するために、レシーバー・マッピング・テーブル１３０により定義される一意的に割り当てられたマッピングに基づいて、再マッピングする。
【０２７１】
この再マッピングの結果として、以下で詳しく説明されるように、ネットワーク１０の図示されている実施形態は、ＶＬＡＮタグ付けされているトラフィックが該タグ付きトラフィックを送信したクライアント・ポート１８に戻されることを阻止することができる。
【０２７２】
説明の目的上、ネットワーク１０の図示されている実施形態は、光又は電気の情報をフレーム１０４の形で送信すると仮定される。
【０２７３】
従って、ネットワーク１０内での送信される情報の現在の位置により光情報及び電気情報の両方を指すために「フレーム（単数又は複数）」という包括的用語を用いることができる。
【０２７４】
図５は、光リング２０上のローカル・ノード１４ｃによるフレーム１０４の伝送を示す。より具体的には、図５は、ローカル・ノード１４ｃがローカル・ノード１４ｃのクライアント・ポート１８ｂからローカル・ノード１４ａのクライアント・ポート１８ｃへ情報を送るときのネットワーク１０の動作を示す。
【０２７５】
図示されている実施形態では、ローカル・ノード１４ｃのクライアント・ポート１８ｂとローカル・ノード１４ａのクライアント１８ｃとは、これら２つのクライアント・ポート１８の各々の周りの破線のボックスにより示される、ＶＬＡＮ「５」と関連する唯一のローカル・ノード・ポート１８である。
【０２７６】
ローカル・ノード１４ｃは、上記のようにフレーム１０４の形の光トラフィックを作り、（ポート１８ｂがＶＬＡＮ「５」と関連することを示す）トランスミッター・マッピング・テーブル１１０ｃに基づいて「５」のトランスミッター・タグ１１２をフレーム１０４に付ける。
【０２７７】
ローカル・ノード１４ｃは、その後、タグ付きフレーム１０４を光リング２０の周りで、ローカル・ノード１４ｃに割り当てられた送信波長（この例ではλ３）で、データセンター・ノード１２の方へ送る。
【０２７８】
図６は、データセンター・ノード１２がタグ付きフレーム１０４を受信した後のネットワーク１０の動作を示す。
【０２７９】
図示されている実施形態では、データセンター・ノード１２は、データセンター・ノード１２がタグ付きフレーム１０４を受け取った送信波長に基づいて、どのローカル・ノード１４が該タグ付きフレーム１０４を送信したのか判定する。
【０２８０】
データセンター・ノード１２は、その後、タグ付きフレーム１０４を送信したローカル・ノード１４に基づいて、トランスミッションマッピング・テーブル１２０からタグ付きフレーム１０４に関連するレシーバー・タグ１１４を選択する。
【０２８１】
トランスミッションマッピング・テーブル１２０は、タグ付きフレーム１０４を送信したローカル・ノード１４に基づいてレシーバー・タグ１１４をトランスミッター・タグ１１２と関連付ける情報を空構成される。
【０２８２】
トランスミッションマッピング・テーブル１２０は、この明細書では「テーブル」として記述されるけれども、トランスミッションマッピング・テーブル１２０は、テーブル、アレイ、リンクリスト、或いは他の任意の適切な方法で構造化された情報を表すことができる。
【０２８３】
図示のように、トランスミッションマッピング・テーブル１２０は、ＶＬＡＮ「５」と関連する２つのローカル・ノード１４ａ又は１４ｃのうちのどちらがフレーム１０４を送信したかにより、「５」のトランスミッター・タグ１１２を「２５」又は「３５」のレシーバー・タグ１１４と関連付ける。
【０２８４】
この例では、データセンター・ノード１２は、この特定のフレーム１０４がローカル・ノード１４ｃにより送信されたと判定したので、データセンター・ノード１２は「３５」のレシーバー・タグ１１４を選択する。
【０２８５】
データセンター・ノード１２は、その選択されたレシーバー・タグ１１４をフレーム１０４に付ける。
【０２８６】
データセンター・ノード１２は、トランスミッター・タグ１１２を取り除いて選択されたレシーバー・タグ１１４を付け加えることにより、トランスミッター・タグ１１２を選択されたレシーバー・タグ１１４で上書きすることにより、或いはトランスミッター・タグ１１２内の情報を他の任意の適切な方法でフレーム１０４に付け加えることにより、選択されたレシーバー・タグ１１４を付けることができる。
【０２８７】
データセンター・ノード１２は、選択されたレシーバー・タグ１１４をフレーム１０４につけた後、その再タグ付けされたフレーム１０４を光リング２０に沿って受信波長λＲで送信する。
【０２８８】
図７は、再タグ付けされたフレーム１０４を送信した後のネットワーク１０の動作を示す。
【０２８９】
図７に示されているように、データセンター・ノード１２は再タグ付けされたフレーム１０４を受信波長λＲで送信する。
【０２９０】
ローカル・ノード１４ａは、フレーム１０４（受信波長λの他の全てのトラフィックも）を受信してスイッチ８８へ落とす。
【０２９１】
スイッチ素子８８又はローカル・ノード１４ａの他の構成要素は、レシーバー・タグ１１４を抽出して、レシーバー・タグ１１４がローカル・ノード１４ａにより支援されるいずれかのローカル・クライアント・ポート１８と関連しているか否か判定するために、ローカル・ノード１４ａのレシーバー・マッピング・テーブル１３０に記憶されている情報を用いてレシーバー・タグ１１４を再マッピングしようと試みる。
【０２９２】
レシーバー・マッピング・テーブル１３０は、レシーバー・タグ１１４をローカル・ノード１４のクライアント・ポート１８と関連付ける情報を含む。
【０２９３】
レシーバー・マッピング・テーブル１３０はこの明細書では「テーブル」として記述されるけれども、レシーバー・マッピング・テーブル１３０は任意の適切な方法で構造化された情報を表すことができる。
【０２９４】
レシーバー・マッピング・テーブル１３０は、レシーバー・タグ１１４をトランスミッター・タグ１１２に、又は関連しているＶＬＡＮについての他の識別情報に関連付けることができ、ローカル・ノード１４は、トランスミッター・マッピング・テーブル１１０を用いて且つ／又はレシーバー・マッピング・テーブル１３０と関連する他の適切な情報を用いて、フレーム１０４を受信する適切なクライアント・ポート１８を識別することができる。
【０２９５】
例えば、ローカル・ノード１４の図示されている実施形態では、レシーバー・マッピング・テーブル１３０は、レシーバー・タグ１１４とトランスミッター・タグ１１２とを関連付ける。この様な実施形態では、ローカル・ノード１４は、レシーバー・マッピング・テーブル１３０を用いて、受信されたフレーム１０４に付けられているレシーバー・タグ１１４と関連する元のトランスミッター・タグ１１２を識別することができる。
【０２９６】
ローカル・ノード１４は、トランスミッター・マッピング・テーブル１１０を用いて、そのレシーバー・タグ１１４と関連する１つ以上のクライアント・ポート１８を識別することができる。
【０２９７】
或いは、レシーバー・マッピング・テーブル１３０は、特定の実施形態では、レシーバー・タグ１１４をローカル・ノード１４のクライアント・ポート１８に直接関連付けることができる。
【０２９８】
例えば、レシーバー・マッピング・テーブル１３０は「３５」のレシーバー・タグ１１４を「Ｂ」のクライアント・ポート１８に直接マッピングするエントリーを含むことができる。
【０２９９】
図示されている例に戻ると、ローカル・ノード１４ａは、「３５」のレシーバー・タグ１１４がローカル・ノード１４ａのクライアント・ポート１８ｃを構成要素として含むＶＬＡＮと関連すると判定する。
【０３００】
その結果として、ローカル・ノード１４は何らかの適切なスイッチングを実行し、再タグ付けされたフレーム１０４をクライアント・ポート１８ｃに送る。
【０３０１】
従って、関連するＶＬＡＮの非原始メンバーが、意図されたフレーム１０４を受信する。
【０３０２】
図８は、再タグ付けされたフレーム１０４が光リング２０の周りを伝播し続けるときの動作を示す。
【０３０３】
図８に示されているように、フレーム１０４がローカル・ノード１４ｂに到達すると、ローカル・ノード１４ｂは上記のようにフレーム１０４をスイッチ８８に落とす。
【０３０４】
スイッチ素子８８又はローカル・ノード１４ｂの他の構成要素は、レシーバー・タグ１１４を抽出し、レシーバー・マッピング・テーブル１３０ｂに記憶されている情報を使ってレシーバー・タグ１１４がローカル・ノード１４ｂにより支援されるいずれかのローカル・クライアント１６と関連付けられているか否か判定する。
【０３０５】
ネットワーク１０で利用されるトランスミッター・タグ１１２とレシーバー・タグ１１４とのオーバーラップが無いと仮定すると、レシーバー・マッピング・テーブル１３０ｂは、この例ではレシーバー・タグ１１４と一致するエントリーを持たない。
【０３０６】
その結果として、ローカル・ノード１４ｂのスイッチ素子８８は、タグ付きフレーム１０４を捨てる。
【０３０７】
従って、意図されたとおり、該ＶＬＡＮの構成要素ではないクライアント・ポート１８はフレーム１１４を受信しない。
【０３０８】
図９は、再タグ付けされたフレーム１０４が光リング２０の周りをローカル・ノード１４ｃの方へ伝播し続けるときの動作を示す。図示されているように、図４Ｅでは、フレーム１０４がローカル・ノード１４ｃに到達すると、フレーム１０４はスイッチ８８に落とされる。
【０３０９】
スイッチ素子８８又はローカル・ノード１４ｃの他の構成要素は、レシーバー・タグ１１４を抽出し、ローカル・ノード１４ｃのレシーバー・マッピング・テーブル１３０ｃに記憶されている情報を使ってレシーバー・タグ１１４がローカル・ノード１４ｃにより支援されるいずれかのローカル・クライアント１６と関連付けられているか否か判定する。
【０３１０】
この場合、送信したローカル・ノード１４はレシーバー・マッピング・テーブル１３０ｃの中に「３５」のレシーバー・タグ１１４と関連付けられているエントリーを持っていない。
【０３１１】
従って、ローカル・ノード１４ｃのスイッチ素子８８は、フレーム１０４をローカル・ノード１４ｃのどのクライアント・ポート１８にも送らずにフレーム１０４を捨てる。
【０３１２】
特に、ローカル・ノード１４ｃは、フレーム１０４を始めに送信した発信源クライアント・ポート１８（ここではクライアント・ポート１８ｂ）にはフレーム１０４を送らない。
【０３１３】
従って、この伝送例では反射問題は除去されている。
【０３１４】
すなわち、レシーバー・マッピング・テーブル１３０ａ及び１３０ｃは２つのローカル・ノードについて一意的であるので、前記の手法はネットワーク１０上でのＶＬＡＮ内通信における反射の発生を除去することができる。
【０３１５】
更に、レシーバー・マッピング・テーブル１３０はローカル・ノード１４に伝達され得るので、最初に且つ／又は更新時に、帯域外光学監視チャネル（ＯＳＣ）で或いは他の適切な制御信号を用いて、ネットワーク１０の特定の実施形態は、必要に応じて容易に再構成され得るスケーラブルなネットワーキング解決策を提供することができる。
【０３１６】
図１０−１２は、本発明の他の１つの実施形態に従うローカル・ノード１４ａ−ｅを含む光ネットワークの動作を示す。
【０３１７】
図示されている実施形態では、ローカル・ノード１４ｃのクライアント・ポート１８ａ、ローカル・ノード１４ｅのクライアント・ポート１８ｃ、ローカル・ノード１４ａのクライアント・ポート１８ｃ、及びローカル・ノード１４ｂのクライアント・ポート１８ｄは全て１つのＶＬＡＮ「７」と関連付けられている。
【０３１８】
図１０−１２は、ローカル・ノード１４ｃのクライアント・ポート１８ｃがタグ付きフレーム１０４をＶＬＡＮ「７」上の全てのローカル・クライアント１６に送信するときのネットワーク１０の動作を示す。
【０３１９】
図示されている実施形態では、データセンター・ノード１２は、ネットワーク１０上の各ＶＬＡＮについて１つ以上のエントリーを含むトランスミッションマッピング・テーブル１２０を記憶しているか或いは該テーブルへのアクセスを有する。
【０３２０】
より具体的には、レシーバー・マッピング・テーブル１３０は、ネットワーク１０上の各ＶＬＡＮについて、該ＶＬＡＮ上の全てのローカル・ノード１４についてのエントリーを包含する。
【０３２１】
これらのエントリーは、１つのレシーバー・タグ１１４を各ローカル・ノード１４と関連付ける。
【０３２２】
以下でより詳しく説明されるように、データセンター・ノード１２は、そのローカル・ノード１４から受信された全てのタグ付きフレーム１０４を再タグ付けするために、特定のクライアント・ポート１８と関連するレシーバー・タグ１１４を使用する。
【０３２３】
例えば、図示されている実施形態では、トランスミッションマッピング・テーブル１２０は、ＶＬＡＮ「７」についてローカル・ノード１４ａ，１４ｂ，１４ｃ及び１４ｅについてのエントリーを含む各ＶＬＡＮの各ローカル・ノード１４について特定のレシーバー・タグ１１４を指定する別々のエントリーを含む。
【０３２４】
更に、各ローカル・ノード１４は、レシーバー・タグ１１４を特定のＶＬＡＮと或いは特定のＶＬＡＮ上のローカル・ノード１４と関連付けるレシーバー・マッピング・テーブル１３０を含む。
【０３２５】
特定の実施形態では、レシーバー・マッピング・テーブル１３０は、１つの特定のローカル・ノード１４について、与えられたレシーバー・タグ１１４を、データセンター・ノード１２が関連レシーバー・タグ１１４をそれから作ったところの元のトランスミッター・タグ１１２に、或いはそれから該ＶＬＡＮ上の全ての他のローカル・ノード１４と関連付けられている、その元のトランスミッター・タグ１１２と関連付けられているＶＬＡＮに、再マッピングする。
【０３２６】
更に、特定のローカル・ノード１４についてのレシーバー・マッピング・テーブル１３０は、トランスミッションマッピング・テーブル１２０内のそのローカル・ノード１４と関連付けられているトランスミッター・タグを特に除外する。
【０３２７】
例えば、図示されている実施形態では、ＶＬＡＮ「７」はローカル・ノード１４ａ，１４ｂ，１４ｃ及び１４ｅ上にクライアント・ポート１８を有する。
【０３２８】
ローカル・ノード１４ｃのレシーバー・マッピング・テーブル１３０は、ローカル・ノード１４ｃ自体によってではなくてローカル・ノード１４ａ，１４ｂ及び１４ｅによってＶＬＡＮ「７」上で伝送されるフレーム１０４についてのレシーバー・タグ１１４を指定する。
【０３２９】
従って、ローカル・ノード１４ｃのスイッチ素子８８は、始めにローカル・ノード１４ｃによって送信された再タグ付けされているフレーム１０４をＶＬＡＮ「７」及び／又はローカル・ノード１４ｃのいずれかのクライアント・ポート１８と関連付けられているとは認めなくて、ローカル・ノード１４ａ，１４ｂ，１４ｅにより送られたＶＬＡＮ「７」についてのフレーム１０４を、これらのフレーム１０４に添付されているレシーバー・タグ１１４に基づいて認める。
【０３３０】
図示されているように、レシーバー・マッピング・テーブル１３０ｃは、ローカル・ノード１４ａ，１４ｂ，及び１４ｅからのフレーム１０４と関連付けられているＶＬＡＮ「７」レシーバー・タグ１１４についてのエントリーを含む。
【０３３１】
説明の目的のために、図１０は、そのＶＬＡＮについての特定のレシーバー・タグ１１４と関連付けられているローカル・ノード１４を識別する情報を含むものとしてレシーバー・マッピング・テーブル１３０を示しているけれども、この情報はローカル・ノード１４により処理のために必要とはされないかも知れず、特定の実施形態はこの情報を含んでいなくても良い。
【０３３２】
図１０は、光リング２０上でのローカル・ノード１４ｃによるフレーム１０４の伝送を示す。
【０３３３】
より具体的には、図１０は、ローカル・ノード１４ｃがフレーム１０４をローカル・ノード１４ｃのクライアント・ポート１８ｂからＶＬＡＮ「７」上の他の全てのクライアント・ポート１８に送信するときのネットワーク１０の動作を示す。
【０３３４】
図示されている実施形態では、ローカル・ノード１４ｃのクライアント・ポート１８ａ、ローカル・ノード１４ｅのクライアント・ポート１８ｃ、ローカル・ノード１４ａのクライアント・ポート１８ｃ、及びローカル・ノード１４ｂのクライアント・ポート１８ｄは全てＶＬＡＮ「７」の構成要素である。
【０３３５】
ローカル・ノード１４ｃは前記のようにフレーム１０４を作り、マッピング・テーブル６０に基づいて、「７」のトランスミッター・タグ１１２をフレーム１０４に添付する。
【０３３６】
ローカル・ノード１４ｃは、その後、そのタグ付けされたフレーム１０４を送信波長λ３でデータセンター・ノード１２に送信する。
【０３３７】
ローカル・ノード１４ｃは、フレーム１０４を受信波長λＲではなくて送信波長λ３で送信するので、間にあるどのローカル・ノード１４もフレーム１０４を落とさない。
【０３３８】
フレーム１０４が光リング２０上のローカル・ノード１４ｄに到達すると、ローカル・ノード１４ｄはフレーム１０４を落とす。ネットワーク１０により使用されるトランスミッター・タグ１１２とレシーバー・タグ１１４とのオーバーラップが無いと仮定すれば、ローカル・ノード１４ｄは、フレーム１０４に添付されているトランスミッター・タグ１１２を認識せず、タグ付きフレーム１０４をローカル・ノード１４ｄのどのクライアント・ポート１８にも送らずにフレーム１０４を処分する。
【０３３９】
同様に、タグ付きフレーム１０４がローカル・ノード１４ｅに到達すると、トランスミッター・タグ１１２はレシーバー・マッピング・テーブル１３０の中のどのレシーバー・タグ１１４とも一致しないので、クライアント・ポート１８ａがＶＬＡＮ「７」の構成要素であるという事実にも関わらずにローカル・ノード１４ｅのスイッチ素子８８はタグ付きフレーム１０４を処分する。
【０３４０】
図１１は、データセンター・ノード１２がタグ付きフレーム１０４を受け取った後のネットワーク１０の動作を示す。
【０３４１】
図示されている実施形態では、データセンター・ノード１２は、データセンター・ノード１２がフレーム１０４を受信した送信波長（この場合にはλ３）に基づいてどのローカル・ノード１４がフレーム１０４を送信したのか判定することができる。
【０３４２】
データセンター・ノード１２は、フレーム１０４を送信したローカル・ノード１４に基づいて、レシーバー・マッピング・テーブル１３０から該タグ付きフレーム１０４についてのレシーバー・タグ１１４を選択する。
【０３４３】
図示されているように、レシーバー・マッピング・テーブル１３０は、ＶＬＡＮ「７」上の４つのローカル・ノード１４ａ，１４ｂ，１４ｃ，及び１４ｅのうちのどれがフレーム１０４を送信したのかにより、「７」のトランスミッター・タグ１１２を「３２」、「４２」、「５２」、又は「６２」のレシーバー・タグ１１４と関連付ける。
【０３４４】
この例ではデータセンター・ノード１２はこの特定のタグ付きフレーム１０４がローカル・ノード１４ｃにより送信されたと判定したので、データセンター・ノード１２は「５２」のレシーバー・タグ１１４を選択する。
【０３４５】
データセンター・ノード１２は、その後、選択されたレシーバー・タグ１１４をフレーム１０４に添付する。
【０３４６】
データセンター・ノード１２が選択されたレシーバー・タグ１１４をフレーム１０４に添付した後、データセンター・ノード１２は再タグ付けされたフレーム１０４を光リング２０に沿って受信波長λＲで送信する。
【０３４７】
図１２は、ネットワーク１０の動作を示し、再タグ付けされたフレーム１０４はリング２０の周りを伝播する。
【０３４８】
図１２に示されているように、データセンター・ノード１２は再タグ付けされたフレーム１０４を受信波長λＲで送信する。
【０３４９】
ローカル・ノード１４ａはフレーム１０４を受信して落とす。
【０３５０】
ローカル・ノード１４ａは、レシーバー・マッピング・テーブル１３０ａに基づいて、「５２」のレシーバー・タグ１１４がクライアント・ポート１８を構成要素として包含するＶＬＡＮと関連付けられていると判定する。
【０３５１】
その結果として、ローカル・ノード１４は、適切なスイッチングを実行してフレーム１０４をクライアント・ポート１８に送る。
【０３５２】
このように、ＶＬＡＮ「７」のこの構成要素が、意図されたとおりにフレーム１０４を受信する。
【０３５３】
同様に、ローカル・ノード１４ｂはフレーム１０４を受信して分岐する。
【０３５４】
ローカル・ノード１４も、レシーバー・マッピング・テーブル１３０ｂに基づいて、「５２」のレシーバー・タグ１１４が「７」のトランスミッター・タグ１１４と関連付けられていると判定する。
【０３５５】
その後、ローカル・ノード１４ｂは、ローカル・ノード１４ｂのトランスミッター・テーブル（図示されていない）に基づいて、トランスミッター・タグ１１４「７」がクライアント・ポート１８ｄを構成要素として含むＶＬＡＮと関連付けられていると判定する。
【０３５６】
その結果として、ローカル・ノード１４は任意の適切なスイッチングを実行してフレーム１０４をローカル・ノード１４ｂのクライアント・ポート１８ｄに送る。
【０３５７】
この様に、ＶＬＡＮ「７」のこの構成要素もフレーム１０４を意図されたとおりに受信する。
【０３５８】
フレーム１０４がローカル・ノード１４ｃに到達すると、ローカル・ノード１４ｃもフレーム１０４を落とす。
【０３５９】
レシーバー・マッピング・テーブル１３０ｃは、ローカル・ノード１４ｃにより送信されたトラフィックと関連付けられたレシーバー・タグ１１４についてのエントリーを含んでいないので、ローカル・ノード１４ｃは、ローカル・ノード１４がそれについてトラフィックを受信するところのどのＶＬＡＮとも「５２」のレシーバー・タグ１１４が関連付けられていないと判定する。
【０３６０】
従って、ローカル・ノード１４ｃはフレーム１０４を処分する。
【０３６１】
従って、フレーム１０４についての元の発信源ローカル・ノード１４ｃは、再タグ付けされたフレーム１０４を受信しない。その結果として、反射問題は減らされ或いは無くされる。
【０３６２】
更に、フレーム１０４がローカル・ノード１４ｄに到達すると、ローカル・ノード１４ｄもフレーム１０４を落とす。
【０３６３】
ネットワーク１０により使用されるトランスミッター・タグ１１２とレシーバー・タグ１１４とのオーバーラップが無いと仮定すると、ローカル・ノード１４ｄのスイッチ素子８８は、フレーム１０４に添付されているトランスミッター・タグ１１２を認識せず、フレーム１０４をローカル・ノード１４ｄのどのクライアント・ポート１８にも送らずにフレーム１０４を処分する。
【０３６４】
このローカル・ノード１４はＶＬＡＮ「７」上のどのクライアント・ポート１８も持ってはいないので、ローカル・ノード１４ｄのレシーバー・マッピング・テーブル１３０ｄはレシーバー・タグ１１４についてのエントリーを含んでいない。
【０３６５】
従って、レシーバー・タグ１１４はレシーバー・マッピング・テーブル１３０ｄ内のどのエントリーとも一致せず、ローカル・ノード１４ｄはフレーム１０４を処分する。
【０３６６】
フレーム１０４がローカル・ノード１４ｅに到達すると、ローカル・ノード１４ｅもフレーム１０４を落とす。
【０３６７】
しかし、図１０のタグ付きフレーム１０４のトランスミッター・タグ１１２の場合とは異なって、レシーバー・マッピング・テーブル１３０ｅは、「５２」のレシーバー・タグ１１４と関連付けられているトランスミッター・タグ１１２「７」を識別するエントリーを確かに含んでいる。
【０３６８】
ローカル・ノード１４ｂは、ローカル・ノード１４ｅのトランスミッター・テーブル（図示されていない）に基づいて、トランスミッター・タグ１１４「７」がクライアント・ポート１８ｃを構成要素として含むＶＬＡＮと関連付けられていると判定する。
【０３６９】
その結果として、ローカル・ノード１４ｅは適切なスイッチングを実行し、フレーム１０４をクライアント・ポート１８「Ｄ」に送る。
【０３７０】
ＶＬＡＮ「７」のこの構成要素も、再タグ付けされたフレーム１０４を意図されたとおりに受信する。
【０３７１】
従って、各ローカル・ノード１４は、他の全てのローカル・ノード１４により作られたＶＬＡＮトラフィックと関連付けられているレシーバー・タグ１１４を明示するけれどもその特定のローカル・ノード１４により作られたトラフィックと関連付けられているレシーバー・タグ１１４を明示していない一意的なレシーバー・マッピング・テーブル１３０を記憶しているので、ネットワーク１０の特定の実施形態はネットワーク１０における反射の発生を減少させ或いは無くすることができる。
【０３７２】
これは、記載された手法を利用するネットワーク１０の特定の実施形態においてＶＬＡＮアドレス指定の効率を高めることができる。
【０３７３】
更に、記載された手法はローカル・ノード１４とデータセンター・ノード１２との間での通信を通して更新され得るレシーバー・マッピング・テーブル１３０を利用するので、ネットワーク１０の特定の実施形態は反射問題に対する柔軟でスケーラブルな解決策を提供することができる。
【０３７４】
図１３と図１４は、ネットワーク１０の１つの特定の実施形態に従うデータセンター・ノード１２についての動作の方法２００を示すフローチャートである。
【０３７５】
図１３と図１４は、データセンター・ノード１２と、光リング２０と、複数のローカル・ノード１４とを含む図１に示されているものと類似するネットワーク１０のデータセンター・ノード１２の１つの特定の実施形態の動作を示す。
【０３７６】
ステップ６００で、データセンター・ノード（ＤＣＮ）１２は、ユーザーにより入力され或いはネットワーク１０の任意の適切な構成要素により送信された、ネットワーク１０についての設定情報を受け取る。
【０３７７】
この設定情報は、ノード設定と、ＶＬＡＮ構成要素と、トランスミッター・マッピング・テーブル１１０、遷移マッピング・テーブル、或いは１２０レシーバー・マッピング・テーブル１３０を作るために必要とされ、或いはデータセンター・ノード１２の動作に関連する他の何らかのタスクを実行するために必要とされる他の任意の情報とを識別することができる。
【０３７８】
例えば、１つの特定の実施形態では、データセンター・ノード１２は、ローカル・ノード１４がオンラインになるときにその各ローカル・ノード１４からトランスミッター・マッピング・テーブル１１０を受け取る。
【０３７９】
これは図１３と図１４では単一のステップとして示されているが、データセンター・ノード１２は、その様な設定情報を、ネットワーク１０が動作している間を含む１つの期間にわたって、受け取ることができる。データセンター・ノード１２は、ステップ６１０で、ローカル・ノード１４に送るトランスミッションマッピングテーブル１２０とレシーバー・マッピング・テーブル１３０とを作るためにこの設定情報を使用する。
【０３８０】
ステップ６２０で、データセンター・ノード１２は、複数のローカル・ノード１４の各々に一意的なレシーバー・マッピング・テーブル１３０を送る。
【０３８１】
データセンター・ノード１２は、この実施形態では動作開始前にレシーバー・マッピング・テーブル１３０をローカル・ノード１４に送るけれども、データセンター・ノード１２は、１つの特定の実施形態では、動作の前及び／又は間の任意の適切な時にレシーバー・マッピング・テーブル１３０を送ることができる。
【０３８２】
或いは、ローカル・ノード１４は、管理者又は管理装置によるローカル・ノード１４の独立の設定を通してレシーバー・マッピング・テーブル１３０を得ても良い。
【０３８３】
レシーバー・マッピング・テーブル１３０をローカル・ノード１４に送った後、データセンター・ノード１２はローカル・ノード１４からトラフィックを受け取り始めることができる。
【０３８４】
ステップ６３０で、発信源ローカル・ノード１４はタグ付きフレーム１０４を宛先ＶＬＡＮに送る。
【０３８５】
タグ付きフレーム１０４は、タグ付きフレーム１０４についての宛先ＶＬＡＮを識別するトランスミッター・タグ１１２を含むか或いは該トランスミッター・タグと関連付けられている。
【０３８６】
ステップ６４０で、データセンター・ノード１２はタグ付きフレーム１０４を発信源ローカル・ノード１４から受け取る。
【０３８７】
データセンター・ノード１２は、ステップ６５０で、受け取られたフレーム１０４についての発信源ローカル・ノード１４を識別する。
【０３８８】
データセンター・ノード１２は、ネットワーク１０の構成及び特性に従って任意の適切な方法で発信源を判定することができる。
【０３８９】
１つの特定の実施形態では、フレーム１０４を送信するための１つの特定の波長が各ローカル・ノード１４に割り当てられ、データセンター・ノード１２は、フレーム１０４が受信された波長に基づいて発信源ローカル・ノード１４を識別する。
【０３９０】
データセンター・ノード１２は、ステップ６６０で、フレーム１０４に付けられているトランスミッター・タグ１１２とフレーム１０４の発信源ローカル・ノード１４とに基づいて適切なレシーバー・タグ１１４を判定する。
【０３９１】
ステップ６７０で、データセンター・ノード１２は、トランスミッター・タグ１１２を選択されたレシーバー・タグ１１４と置き換える。
【０３９２】
その後、ステップ６８０で、データセンター・ノード１２は、フレーム１０４を光リング２０に沿って１つの特定の受信波長で送信する。
【０３９３】
ステップ６９０で、１つの特定のローカル・ノード１４がタグ付きフレーム１０４を受け取る。
【０３９４】
受信者ローカル・ノード１４は、ステップ７００で、受信者ローカル・ノード１４のレシーバー・マッピング・テーブル１３０がレシーバー・タグ１１４と関連付けられているエントリーを含むか否か判定する。
【０３９５】
もし受信者ローカル・ノード１４のレシーバー・マッピング・テーブル１３０がレシーバー・タグ１１４と関連付けられたエントリーを含んでいないと受信者ローカル・ノード１４が判定すれば、受信者ローカル・ノード１４はステップ７１０でフレーム１０４を捨ててステップ７４０に進む。
【０３９６】
もし受信者ローカル・ノード１４のレシーバー・マッピング・テーブル１３０がレシーバー・タグ１１４と関連付けられているエントリーを含むと受信者ローカル・ノード１４が判定すれば、受信者ローカル・ノード１４は、ステップ７２０で、受信者ローカル・ノード１４のトランスミッター・マッピング・テーブル１１０を使用して、タグ付きフレーム１０４についての宛先ＶＬＡＮを識別する。
【０３９７】
ステップ７３０で、受信者ローカル・ノード１４は、フレーム１０４を、宛先ＶＬＡＮと関連付けられているクライアント・ポート１１８に配達する。
【０３９８】
更に、ステップ７４０で、データセンター・ノード１２は更新されたレシーバー・マッピング・テーブル１３０を作る。データセンター・ノード１２は、ステップ７５０で、更新されたレシーバー・マッピング・テーブル１３０を１つ以上のローカル・ノード１４に送る。
【０３９９】
データセンター・ノード１２は、動作中の任意の適切な時に、例えば現在のローカル・ノード１４の故障に応答して新しいローカル・ノード１４がネットワーク１０に付け加えられるときに、或いはＶＬＡＮ定義が変化するごとに、レシーバー・マッピング・テーブル１３０を更新することができる。
【０４００】
上記のように、ネットワーク１０の特定の実施形態では、ローカル・ノード１４は局所的にレシーバー・マッピング・テーブル１３０を得ることができ、従ってデータセンター・ノード１２はローカル・ノード１４のために更新されたレシーバー・マッピング・テーブル１３０を提供しなくても良いであろう。
【０４０１】
本発明は幾つかの実施形態で記述されているが、多様な変化、変形、改変、変換、及び改造が当業者に示唆されるかもしれず、添付されている請求項の範囲に属するような変化、変形、改変、変換、及び改造を本発明が含むことが意図されている。
【０４０２】
（付記１）
光リングと、
該光リングに結合された複数のローカル・ノードとデータセンター・ノードと、
該各ローカル・ノードは１つ以上の波長で該光リングにトラフィックを加え、また該光リングからトラフィックを落とすように構成され、ローカル・クライアントからトラフィックを受け取り、該ローカル・クライアントがそれと関連付けられているところの仮想ネットワークを識別するトランスミッター・タグを該トラフィックと関連付け、該トラフィックを該光リングに沿って送信し、
該データセンター・ノードは該ローカル・ノードのうちの１つにより送信されたトラフィックを受け取り、該トラフィックと関連付けられているトランスミッター・タグと、そのトラフィックを送信した該ローカル・ノードとに基づいて、該トラフィックについてのレシーバー・タグを判定し、選択されたレシーバー・タグを該トラフィックと関連付け、関連付けられた該トラフィックを該光リングに沿って送信する、
ことを特徴とする光ネットワーク。
【０４０３】
（付記２）
付記１において、該各ローカル・ノードは複数の仮想ネットワークのうちの各々と関連付けられているトランスミッター・タグを指定するトランスミッター・マッピング・テーブルを有し、更に、該トランスミッター・マッピング・テーブルに基づいて、該ローカル・クライアントが関連付けられている該仮想ネットワークと関連付けられているトランスミッター・タグを識別し、その識別された該トランスミッター・タグを該トラフィックと関連付けることによって、該トランスミッター・タグをローカル・クライアントからのトラフィックと関連付けるように動作することを特徴とする光ネットワーク。
【０４０４】
（付記３）
付記１において、該データセンター・ノードは、該ローカル・ノードの各々に一意的なレシーバー・マッピング・テーブルを送るように更に動作する
ことを特長とする光ネットワーク。
【０４０５】
（付記４）
付記１において、
該各ローカル・ノードは複数のレシーバー・タグの各々に関連付けられている仮想ネットワークを指定するレシーバー・マッピング・テーブルを含んでおり、
該各ローカル・ノードは更に該データセンター・ノードからトラフィックを受け取り、該マッピング・テーブルと、該トラフィックに関連付けられているトランスミッター・タグとに基づいて、該トラフィックが送られた仮想ネットワークを識別するように動作する
ことを特長とする光ネットワーク。
【０４０６】
（付記５）
付記４において、該ローカル・ノードは複数のトランスミッター・タグの各々と関連付けられている特定の仮想ネットワークを指定するトランスミッター・マッピング・テーブルを含んでおり、
該ローカル・ノードは該レシーバー・マッピング・テーブルに基づいて、該トラフィックと関連付けられている該レシーバー・タグと関連付けられているトランスミッター・タグを識別し、
該トランスミッター・マッピング・テーブルと該識別されたトランスミッター・タグとに基づいて、該トラフィックが送られた仮想ネットワークを識別する
ことを特徴とする光ネットワーク。
【０４０７】
（付記６）
付記４において、該各ローカル・ノードは複数のポートを更に含んでいて、これらを通して該ローカル・ノードは複数の該クライアントと通信し、該ローカル・ノードは、識別された仮想ネットワークと関連付けられている該ローカル・ノードのポートに該トラフィックを送る  ことを特徴とする光ネットワーク。
【０４０８】
（付記７）
付記１において、該ローカル・ノードは更に複数のポートを含んでいて、これらを通して該ローカル・ノードは複数の該ローカル・クライアントからトラフィックを受け取ることができ、該ローカル・ノードは、該ローカル・ノードが該トラフィックを受け取ったポートと関連付けられている仮想ネットワークを識別するトラフィックにトランスミッター・タグを関連付けることを特徴とする光ネットワーク。
【０４０９】
（付記８）
付記１において、該データセンター・ノードは該光リングにおいて該トラフィックを受信波長で送信することができ、該ローカル・ノードの各々は該受信波長とは異なる複数の送信波長のうちの１つで該トラフィックを該光ネットワークで送信することを特徴とする光ネットワーク。
【０４１０】
（付記９）
付記８において、該複数のローカル・ノードは、該トラフィックの光−電気変換を実行せずに該受信波長のトラフィックを通過させること及び落とすことの両方を実行することを特徴とそる光ネットワーク。
【０４１１】
（付記１０）
付記８において、該複数のローカル・ノードは、該トラフィックの光−電気変換を実行せずに該送信波長のトラフィックを通過させることを特徴とする光ネットワーク。
【０４１２】
（付記１１）
光リングで複数のローカル・ノードのうちの１つによって送信されたトラフィックを受け取るステップと、
該トラフィックと関連付けられているトランスミッター・タグと該トラフィックを送信した該ローカル・ノードとに基づいて該トラフィックについてレシーバー・タグを判定するステップを含み、該トランスミッター・タグは、該トラフィックがそれに向けられて送信されたところの仮想ネットワークを識別し、該選択されたレシーバー・タグを該トラフィックと関連付けるステップと、
該トラフィックを該光リングに沿って送信するステップと、を有することを特徴とする光ネットワークの通信方法。
【０４１３】
（付記１２）
付記１１において、該トラフィックを該光リングに沿って送信する前に一意的なレシーバー・マッピング・テーブルを該ローカル・ノードの各々に送るステップを更に含み、
該レシーバー・マッピング・テーブルは複数のレシーバー・タグの各々に関連付けられた１つの特定の仮想ネットワークを識別する、ことを特徴とする光ネットワークの通信方法。
【０４１４】
（付記１３）
付記１１において、該トラフィックを受け取るステップは、複数の送信波長で送信されたトラフィックの中から、そのトラフィックを送信したローカル・ノードに割り当てられている１つの特定の送信波長で送信されたトラフィックを受信するステップを含み、
該トラフィックを送信するステップは該トラフィックを１つの受信波長で送信するステップを含む、ことを特徴とする光ネットワークの通信方法。
【０４１５】
（付記１４）
光通信装置であって：
該光通信装置は、複数のローカル・ノードのうちの１つにより光ネットワークに沿って送信されたトラフィックを受信するように動作し得る複数のレシーバーを含み；
該光通信装置は１つのプロセッサを含み、このプロセッサは該トラフィックに関連付けられている１つのトランスミッター・タグと該トラフィックを送信したローカル・ノードとに基づいて該トラフィックについてのレシーバー・タグを判定し、その選択されたレシーバー・タグを該トラフィックに関連付けるように動作し、
該光通信装置は該トラフィックを該光ネットワークに沿って送信するように動作し得る光通信装置。
【０４１６】
（付記１５）
付記１４において、該プロセッサは、該トラフィックが送信された送信波長に基づいて該複数のローカル・ノードの中から該トラフィックを送信したローカル・ノードを判定することを特徴とする請求項１４の光通信装置。
【０４１７】
（付記１６）
付記１４において、該光通信装置は１つのメモリーに記憶される１つのトランスミッションテーブルを更に含んでおり、該トランスミッションテーブルは複数のレシーバー・タグを含み、その各レシーバー・タグは該トランスミッションテーブルにおいて１つのトランスミッター・タグ及び１つのローカル・ノードと関連付けられており、該光通信装置は該トランスミッションテーブルに基づいて該トラフィックについての該レシーバー・タグを判定することを特徴とする光通信装置。
【０４１８】
（付記１７）
付記１６において、該トランスミッションテーブルの各レシーバー・タグは、１つのトランスミッター・タグ及び１つの特定のノードの１つの送信波長に関連付けられていることを特徴とする光通信装置。
【０４１９】
（付記１８）
付記１４において、該プロセッサは該ローカル・ノードの各々について１つの一意的なレシーバー・マッピング・テーブルを作るように更に動作することができ、該レシーバー・マッピング・テーブルは該ローカル・ノードと関連付けられている１つ以上の仮想ネットワークに関連付けられた１つのレシーバー・タグを識別し；該トランスミッターは該一意的レシーバー・マッピング・テーブルのうちの１つを各ローカル・ノードに送ることを特徴とする光通信装置。
【０４２０】
（付記１９）
付記１４において、該トランスミッターは１つ以上の受信波長で該トラフィックを送信するように動作することができ、該レシーバーは該受信波長とは異なる複数の送信波長で該トラフィックを受信する
ことを特徴とする光通信装置。
【０４２１】
（付記２０）
付記１９において、該トランスミッターは該トラフィックを毎秒１０ギガビット（Ｇｂ／ｓ）以上の１つの帯域幅で送信するように動作することができ、該レシーバーは該トラフィックを、各々１Ｇｂ／ｓより小さい複数の帯域幅で受信するように動作することを特長とする光通信装置。
【０４２２】
（付記２１）
光リングと、
該光リングに結合され、宛先情報をトラフィックに関連付けを行い、該光リングに該トラフィックを加える手段と、該光リングからのトラフィックを落とす手段とを有する複数のローカル・ノードと、
該複数のローカル・ノードより送信された該トラフィックを受け取り、該トラフィックに関連付けられている宛先情報に基づいて分類し、該分類した結果に基づいてトラフィックに宛先情報を関連付けを行い、該複数のローカル・ノードに該光リングを介して送信するセンター・ノードとを有することを特徴とする光ネットワーク。
（付記２２）
複数のノードから宛先情報が関連付けされたトラフィックを光リングネットワークを介して受信するレシーバーと、
該レシーバーで受信したトラフィックに関連付けられている宛先情報に基づいて該レシーバーで受信したトラフィックを分類し、該分類した結果に基づいてトラフィックに宛先情報を関連付けするプロセッサと、
該光リングネットワークを介して、該プロセッサで宛先情報を関連付けたトラフィックを該複数のノードに送信するトランスミッターとを有することを特徴とする光通信装置。
【０４２３】
（付記２３）
付記２２において、
該トランスミッターから送信される光の波長は該レシーバで受信した該トラフィックの波長と異なる波長の光であることを特徴とする光通信装置。
【０４２４】
（付記２４）
付記２２において、
該プロセッサで該ノードからのサービスを求める要求に対応した応答を該トランスミッターから送信するトラフィックに付加することを特徴とする光通信装置。
【０４２５】
（付記２５）
付記２２において、
該トランスミッターから第１の波長の光で送信するトラフィックが所定のビットレートを超えた時、該第１の波長の光と該第１の波長の光と異なる第２の波長の光でトラフィックを送信することを特徴とする光通信装置。
【図面の簡単な説明】
【０４２６】
【図１】本発明の一実施形態に従う光リング・ネットワークを示すブロック図
【図２】図１の光リング・ネットワークの動作例を示すブロック図である
【図３】本発明の一実施形態に従う光リング・ネットワークにおけるトラフィック・バッファー図形的にを表す図
【図４】光リング・ネットワークのアド／ドロップノードの一実施形態を示すブロック図である。
【図５】第１の実施形態の光リング・ネットワークの動作を示す図
【図６】第１の実施形態の光リング・ネットワークの動作を示す図
【図７】第１の実施形態の光リング・ネットワークの動作を示す図
【図８】第１の実施形態の光リング・ネットワークの動作を示す図
【図９】第１の実施形態の光リング・ネットワークの動作を示す図
【図１０】第２の実施形態の光リング・ネットワークの動作を示す図
【図１１】第２の実施形態の光リング・ネットワークの動作を示す図
【図１２】第２の実施形態の光リング・ネットワークの動作を示す図
【図１３】光通信システムにおける情報を伝送する方法例を示すフローチャート
【図１４】図１３の続きを示す図。
【符号の説明】
【０４２７】
１０  光リング・ネットワーク
１２  データセンター・ノード
１４、１４ａ、１４ｂ、１４ｃ  ローカル・ノード
１８、１８ａ、１８ｂ、１８ｃ、１８ｄ  宛先クライアント・ポート
２０  光リング
２０、２１ファイバー
２２  マルチプレクサー
２４、２５  光信号
２６  外部接続
２８  トランスミッター
３０  デマルチプレクサー
３２  レシーバー
３６  インライン・スイッチ
３８  サービス・モジュール
４０  データセンター
４２  トラフィック・バッファー
４４  コントローラ４４
６０  マッピング・テーブル
６２、６４  トランスポート部
６４  時計回りトランスポート部
６８  送信部
７０  増幅器
７２  分岐カップラー
７６  １×ｎカップラー
８０  フィルター
８２  セレクター
８４  ２ｘ１スイッチ
８６  レシーバー
８８  スイッチ素子
９２  ２×ｎカップラー
９４  可変型トランスミッター
１００  メモリー
１０４  フレーム
１１０トランスミッター・マッピング・テーブル
１１２  トランスミッター・タグ
１１４  レシーバー・タグ
１２０  トランスミッションマッピング・テーブル１２０
１３０  レシーバー・マッピング・テーブル
【図１】
2006174482.tif 000003
【図２】
2006174482.tif 000004
【図３】
2006174482.tif 000005
【図４】
2006174482.tif 000006
【図５】
2006174482.tif 000007
【図６】
2006174482.tif 000008
【図７】
2006174482.tif 000009
【図８】
2006174482.tif 000010
【図９】
2006174482.tif 000011
【図１０】
2006174482.tif 000012
【図１１】
2006174482.tif 000013
【図１２】
2006174482.tif 000014
【図１３】
2006174482.tif 000015
【図１４】
2006174482.tif 000016